(57)【要約】  本開示の実施形態は、グループ間でデータを共有するための方法および装置を提供する。一実施形態において、方法は、グループ間協力プラットフォームが協力プロジェクトを作成する段階と、グループ間協力プラットフォームが、協力プロジェクトに参加するグループを決定して、当該グループを協力プロジェクトのプロジェクト協力者として指定する段階と、グループ間協力プラットフォームが協力プロジェクトのプロジェクト協力者間で協力データを共有する段階とを備える。
2021507333.tif 000002
【特許請求の範囲】
【請求項１】
グループ間協力プラットフォームが協力プロジェクトを作成する段階と、
前記グループ間協力プラットフォームが、前記協力プロジェクトに参加するグループを決定する段階と、
前記グループ間協力プラットフォームが前記グループを前記協力プロジェクトのプロジェクト協力者として指定する段階と、
前記グループ間協力プラットフォームが前記協力プロジェクトの前記プロジェクト協力者間で協力データを共有する段階と
を備える方法。
【請求項２】
前記協力プロジェクトに参加するグループを決定する前記段階は、
グループにより開始されるプロジェクト作成要求に基づいて前記協力プロジェクトが作成されるときに、前記協力プロジェクトに参加する前記グループを決定する段階、
前記グループにより示されるターゲットグループに送信されるプロジェクト参加招待が確認応答されるときに、前記協力プロジェクトに参加する前記ターゲットグループを決定する段階、および、
少なくとも１つのグループにより送信された受信されるプロジェクト参加要求が、前記協力プロジェクトに対応する検証情報を含むときに、前記協力プロジェクトに参加する前記少なくとも１つのグループを決定する段階であって、前記協力プロジェクトのプロジェクト協力者が前記検証情報を見ることができる、段階
のうちの１または複数を有する、請求項１に記載の方法。
【請求項３】
前記協力プロジェクトの前記プロジェクト協力者間で協力データを共有する前記段階は、
あるプロジェクト協力者の協力データを前記協力プロジェクト内の１人または複数の他のプロジェクト協力者と共有する段階
を有する、請求項１または２に記載の方法。
【請求項４】
前記協力プロジェクトの前記プロジェクト協力者間で協力データを共有する前記段階は、
プロジェクト協力者により開始される共有関係構成要求を取得する段階と、
前記プロジェクト協力者の協力データを前記共有関係構成要求に示されるプロジェクト協力者と共有することにより、前記プロジェクト協力者の前記協力データを他のプロジェクト協力者と共有することを回避する段階と
を有する、請求項１から３のいずれか一項に記載の方法。
【請求項５】
前記協力プロジェクトの前記プロジェクト協力者間で協力データを共有する前記段階は、
プロジェクト協力者が前記協力プロジェクトから退出するときに、残りのプロジェクト協力者間で協力データを共有する段階
を有する、請求項１から４のいずれか一項に記載の方法。
【請求項６】
前記協力プロジェクトの前記プロジェクト協力者間で協力データを共有する前記段階は、
前記プロジェクト協力者により生成される協力データを前記協力プロジェクトに対応する共有スペースに記憶する段階であって、前記共有スペースは、前記協力プロジェクトの前記プロジェクト協力者にアクセス許可を提供する、段階
を有する、請求項１から５のいずれか一項に記載の方法。
【請求項７】
前記協力プロジェクトの前記プロジェクト協力者間で協力データを共有する前記段階は、
各プロジェクト協力者により生成される協力データを対応する協力者共有スペースに記録する段階と、
前記協力プロジェクトの前記プロジェクト協力者に対応する協力者共有スペース間で前記協力データを自動的に同期する段階と
を有する、請求項１から６のいずれか一項に記載の方法。
【請求項８】
前記協力プロジェクトの前記プロジェクト協力者間で協力データを共有する前記段階は、
少なくとも１人のプロジェクト協力者により割り当てられる前記少なくとも１人のプロジェクト協力者の内部システム内の協力データに対するアクセス権を記録する段階であって、前記アクセス権は、対応するプロジェクト協力者が前記協力プロジェクトから退出すると無効になる、段階と、
あるプロジェクト協力者が別のプロジェクト協力者の協力データに対するアクセス要求を開始するときに、記録される他のプロジェクト協力者の内部システムに対する前記アクセス権を使用して、前記プロジェクト協力者が前記他のプロジェクト協力者の前記内部システム内の協力データにアクセスすることを容易にする段階と
を有する、請求項１から７のいずれか一項に記載の方法。
【請求項９】
コンピュータに、
協力プロジェクトを作成する手順と、
前記協力プロジェクトに参加するグループを決定する手順と、
前記グループを前記協力プロジェクトのプロジェクト協力者として指定する手順と、
前記協力プロジェクトの前記プロジェクト協力者間で協力データを共有する手順と
を実行させるためのプログラム。
【請求項１０】
前記協力プロジェクトに参加するグループを決定する前記手順は、
グループにより開始されるプロジェクト作成要求に基づいて前記協力プロジェクトが作成されるときに、前記協力プロジェクトに参加する前記グループを決定する手順、
前記グループにより示されるターゲットグループに送信されるプロジェクト参加招待が確認応答されるときに、前記協力プロジェクトに参加する前記ターゲットグループを決定する手順、および、
少なくとも１つのグループにより送信された受信されるプロジェクト参加要求が、前記協力プロジェクトに対応する検証情報を含むときに、前記協力プロジェクトに参加する前記少なくとも１つのグループを決定する手順であって、前記協力プロジェクトのプロジェクト協力者が前記検証情報を見ることができる、手順
のうちの１または複数を有する、請求項９に記載のプログラム。
【請求項１１】
前記協力プロジェクトの前記プロジェクト協力者間で協力データを共有する前記手順は、
あるプロジェクト協力者の協力データを前記協力プロジェクト内の１人または複数の他のプロジェクト協力者と共有する手順
を有する、請求項９または１０に記載のプログラム。
【請求項１２】
前記協力プロジェクトの前記プロジェクト協力者間で協力データを共有する前記手順は、
プロジェクト協力者により開始される共有関係構成要求を取得する手順と、
前記プロジェクト協力者の協力データを前記共有関係構成要求に示されるプロジェクト協力者と共有することにより、前記プロジェクト協力者の前記協力データを他のプロジェクト協力者と共有することを回避する手順と
を有する、請求項９から１１のいずれか一項に記載のプログラム。
【請求項１３】
前記協力プロジェクトの前記プロジェクト協力者間で協力データを共有する前記手順は、
プロジェクト協力者が前記協力プロジェクトから退出するときに、残りのプロジェクト協力者間で協力データを共有する手順
を有する、請求項９から１２のいずれか一項に記載のプログラム。
【請求項１４】
前記協力プロジェクトの前記プロジェクト協力者間で協力データを共有する前記手順は、
前記プロジェクト協力者により生成される協力データを前記協力プロジェクトに対応する共有スペースに記憶する手順であって、前記共有スペースは、前記協力プロジェクトの前記プロジェクト協力者にアクセス許可を提供する、手順
を有する、請求項９から１３のいずれか一項に記載のプログラム。
【請求項１５】
前記協力プロジェクトの前記プロジェクト協力者間で協力データを共有する前記手順は、
各プロジェクト協力者により生成される協力データを対応する協力者共有スペースに記録する手順と、
前記協力プロジェクトの前記プロジェクト協力者に対応する協力者共有スペース間で前記協力データを自動的に同期する手順と
を有する、請求項９から１４のいずれか一項に記載のプログラム。
【請求項１６】
前記協力プロジェクトの前記プロジェクト協力者間で協力データを共有する前記手順は、
少なくとも１人のプロジェクト協力者により割り当てられる前記少なくとも１人のプロジェクト協力者の内部システム内の協力データに対するアクセス権を記録する手順であって、前記アクセス権は、対応するプロジェクト協力者が前記協力プロジェクトから退出すると無効になる、手順と、
あるプロジェクト協力者が別のプロジェクト協力者の協力データに対するアクセス要求を開始するときに、記録される他のプロジェクト協力者の内部システムに対する前記アクセス権を使用して、前記プロジェクト協力者が前記他のプロジェクト協力者の前記内部システム内の協力データにアクセスすることを容易にする手順と
を有する、請求項９から１５のいずれか一項に記載のプログラム。
【請求項１７】
プロセッサと、
前記プロセッサによる実行のためにプログラム論理を実体的に記憶するための記憶媒体と
を備える装置であって、
記憶される前記プログラム論理は、
前記プロセッサにより実行される、協力プロジェクトを作成するための論理と、
前記プロセッサにより実行される、前記協力プロジェクトに参加するグループを決定するための論理と、
前記プロセッサにより実行される、前記グループを前記協力プロジェクトのプロジェクト協力者として指定するための論理と、
前記プロセッサにより実行される、前記協力プロジェクトの前記プロジェクト協力者間で協力データを共有するための論理と
を含む、
装置。
【請求項１８】
前記協力プロジェクトに参加するグループを決定するための前記論理は、
グループにより開始されるプロジェクト作成要求に基づいて前記協力プロジェクトが作成されるときに、前記プロセッサにより実行される、前記協力プロジェクトに参加する前記グループを決定するための論理、
前記グループにより示されるターゲットグループに送信されるプロジェクト参加招待が確認応答されるときに、前記プロセッサにより実行される、前記協力プロジェクトに参加する前記ターゲットグループを決定するための論理、および、
少なくとも１つのグループにより送信された受信されるプロジェクト参加要求が、前記協力プロジェクトに対応する検証情報を含むときに、前記プロセッサにより実行される、前記協力プロジェクトに参加する前記少なくとも１つのグループを決定するための論理であって、前記協力プロジェクトのプロジェクト協力者が前記検証情報を見ることができる、論理
のうちの１または複数を含む、請求項１７に記載の装置。
【請求項１９】
前記協力プロジェクトの前記プロジェクト協力者間で協力データを共有するための前記論理は、
前記プロセッサにより実行される、あるプロジェクト協力者の協力データを前記協力プロジェクト内の１人または複数の他のプロジェクト協力者と共有するための論理
を含む、請求項１７または１８に記載の装置。
【請求項２０】
前記協力プロジェクトの前記プロジェクト協力者間で協力データを共有するための前記論理は、
前記プロセッサにより実行される、プロジェクト協力者により開始される共有関係構成要求を取得するための論理と、
前記プロセッサにより実行される、前記プロジェクト協力者の協力データを前記共有関係構成要求に示されるプロジェクト協力者と共有することにより、前記プロジェクト協力者の前記協力データを他のプロジェクト協力者と共有することを回避するための論理と
を含む、請求項１７から１９のいずれか一項に記載の装置。
【発明の詳細な説明】
【技術分野】
【０００１】
本願は２０１８年１２月１０日に出願された国際出願番号ＰＣＴ／ＣＮ２０１８／１２００７８の国内段階移行であり、２０１７年１２月１５日に出願された中国特許出願第２０１７１１３５３９８５．６号に基づく優先権を主張するものである。これらの出願はどちらも参照によりそのまま本明細書に組み込まれる。
【０００２】
本開示は端末デバイス技術の分野、特にグループ間でデータを共有するための方法および装置に関する。
【背景技術】
【０００３】
複数のグループ間の協力が関係するシナリオでは、複数のグループのグループメンバが協力してタスクの処理を完了する。協力中は、協力に参加しているグループ間で協力データを共有する必要がある。現在では、インスタントメッセージングおよび電子メールなどを使用してデータが伝送されることが多いため、安全性の低下および制御の難しさという問題だけでなく、共有効率の低下も起こる。
【発明の概要】
【０００４】
本開示の実施形態は、グループ間でデータを共有するための方法および装置を提供する。
【０００５】
実施形態のうちの１つにおいて、本開示は、グループ間でデータを共有するための方法を提供する。方法は、第１グループが第２グループの協力承認プロセスを開始する段階と、協力承認プロセスが承認されたことに応答して、グループ間協力中に第１グループと第２グループとの間で協力データが共有されるように、第１グループおよび第２グループがグループ間協力を実装する段階とを備える。
【０００６】
一実施形態において、本開示は、グループ間でデータを共有するための方法を提供する。方法は、グループ間協力プラットフォームが協力プロジェクトを作成する段階と、協力プロジェクトに参加するグループを決定する段階と、グループ間協力プラットフォームが当該グループを協力プロジェクトのプロジェクト協力者として指定する段階と、グループ間協力プラットフォームが協力プロジェクトのプロジェクト協力者間で協力データを共有する段階とを備える。
【０００７】
一実施形態において、本開示は、グループ間でデータを共有するための方法を提供する。方法は、グループが、グループ間協力プラットフォームに対する、協力プロジェクトを作成するための協力要求を開始する段階と、グループ間協力プラットフォームで協力プロジェクトを作成する段階と、グループが、協力プロジェクトに参加する少なくとも１つの他のグループと協力データを共有する段階とを備える。
【０００８】
一実施形態において、本開示は、グループ間でデータを共有するための方法を提供する。方法は、グループが、グループ間協力プラットフォームで作成される協力プロジェクトに参加する段階と、グループが、協力プロジェクトに参加する少なくとも１つの他のグループと協力データを共有する段階とを備える。
【０００９】
一実施形態において、本開示は、グループ間でデータを共有するための装置を提供する。装置は、第１グループにより第２グループの協力承認プロセスを開始するように構成される承認ユニットと、協力承認プロセスが承認されたことに応答して、グループ間協力中に第１グループと第２グループとの間で協力データが共有されるように、第１グループおよび第２グループによりグループ間協力を実装するように構成される協力ユニットとを備える。
【００１０】
一実施形態において、本開示は、グループ間でデータを共有するための装置を提供する。装置は、グループ間協力プラットフォームにより協力プロジェクトを作成するように構成される作成ユニットと、グループ間協力プラットフォームにより、協力プロジェクトに参加するグループを決定して、当該グループを協力プロジェクトのプロジェクト協力者として指定するように構成される決定ユニットと、グループ間協力プラットフォームにより、協力プロジェクトのプロジェクト協力者間で協力データを共有するように構成される共有ユニットとを備える。
【００１１】
一実施形態において、本開示は、グループ間でデータを共有するための装置を提供する。装置は、グループにより、グループ間協力プラットフォームに対する、協力プロジェクトを作成するための要求を開始して、グループ間協力プラットフォームで協力プロジェクトを作成するように構成される要求ユニットと、グループにより、協力プロジェクトに参加する少なくとも１つの他のグループと協力データを共有するように構成される共有ユニットとを備える。
【００１２】
一実施形態において、本開示は、グループ間でデータを共有するための装置を提供する。装置は、グループにより、グループ間協力プラットフォームで作成される協力プロジェクトに参加するように構成される参加ユニットと、グループにより、協力プロジェクトに参加する少なくとも１つの他のグループと協力データを共有するように構成される共有ユニットとを備える。
【図面の簡単な説明】
【００１３】
【図１】本開示のいくつかの実施形態に係るグループ間協力システムを示す概略アーキテクチャ図である。
【００１４】
【図２】本開示のいくつかの実施形態に係る、グループ間でデータを共有するための方法を示すフロー図である。
【００１５】
【図３】本開示のいくつかの実施形態に係る、プラットフォームに基づくグループ間でデータを共有するための方法を示すフロー図である。
【００１６】
【図４Ａ】本開示のいくつかの実施形態に係る、協力プロジェクト作成者に基づくグループ間でデータを共有するための方法を示すフロー図である。
【００１７】
【図４Ｂ】本開示のいくつかの実施形態に係る、協力プロジェクト参加者に基づくグループ間でデータを共有するための方法を示すフロー図である。
【００１８】
【図５】本開示のいくつかの実施形態に係る企業間協力を実装する相互作用プロセスを示すフロー図である。
【００１９】
【図６】本開示のいくつかの実施形態に係るプロジェクト作成申請インタフェースを示す図である。
【００２０】
【図７】本開示のいくつかの実施形態に係る承認インタフェースを示す図である。
【００２１】
【図８】本開示のいくつかの実施形態に係るプロジェクト管理インタフェースを示す図である。
【００２２】
【図９】本開示のいくつかの実施形態に係るプロジェクト参加申請インタフェースを示す図である。
【００２３】
【図１０】本開示のいくつかの実施形態に係る別の承認インタフェースを示す図である。
【００２４】
【図１１】本開示のいくつかの実施形態に係る信頼できる協力者を追加するための承認インタフェースを示す図である。
【００２５】
【図１２】本開示のいくつかの実施形態に従って提供される別のプロジェクト管理インタフェースを示す図である。
【００２６】
【図１３】本開示のいくつかの実施形態に係る更に別のプロジェクト管理インタフェースを示す図である。
【００２７】
【図１４】本開示のいくつかの実施形態に係るデバイスを示すブロック図である。
【００２８】
【図１５】本開示のいくつかの実施形態に係る、グループ間でデータを共有するための装置を示すブロック図である。
【００２９】
【図１６】本開示のいくつかの実施形態に係る、プラットフォームに基づくグループ間でデータを共有するための装置を示すブロック図である。
【００３０】
【図１７】本開示のいくつかの実施形態に係る、協力プロジェクト作成者に基づくグループ間でデータを共有するための装置を示すブロック図である。
【００３１】
【図１８】本開示のいくつかの実施形態に係る、協力プロジェクト参加者に基づくグループ間でデータを共有するための装置を示すブロック図である。
【発明を実施するための形態】
【００３２】
本明細書では実施形態について詳細に説明し、図面にはそれらの例を示す。説明で図面を参照するときに、異なる図面の同じ番号は、別段の指示がない限り、同じ要素または同様の要素を表す。本明細書で説明する実装は例示的であり、本開示の実施形態と矛盾しない全ての実装を表すわけではない。代わりに、これらの実装は、本開示の実施形態のいくつかの態様と矛盾しない、本明細書で詳細に説明し特許請求する装置および方法の例に過ぎない。
【００３３】
他の実施形態では、対応する方法の段階が必ずしも本開示で図示および説明する順序で実行されるとは限らないことに留意されたい。いくつかの他の実施形態において、方法は、本開示で説明するものより多いまたは少ない段階を含むことができる。加えて、他の実施形態における説明のため、本開示で説明する単一の段階を複数の段階に分割してよく、他の実施形態における説明のため、本開示で説明する複数の段階を組み合わせて単一の段階にしてもよい。
【００３４】
図１は、本開示のある実施形態に係るグループ間協力システムを示す概略アーキテクチャ図である。図１に示すように、システム１００が、ネットワーク１２を介して接続されるサーバ１１とそれぞれのグループに対応する複数の電子デバイスとを含む。この例では、グループ１にモバイルフォン１３１およびＰＣ１３２が構成され、グループ２にモバイルフォン１４１およびＰＣ１４２が構成され、グループ３にモバイルフォン１５１およびＰＣ１５２が構成される。
【００３５】
いくつかの実施形態において、サーバ１１は、独立したホストを含む物理サーバとして構成される。いくつかの他の実施形態において、サーバ１１は、ホストのクラスタによりホストされる仮想サーバとして構成される。操作中、サーバ１１は、アプリケーションの関連サービス機能を実装する、当該アプリケーションに対応するサーバ側プログラムを実行するように構成される。一例では、サーバ１１がグループ間協力プラットフォームのプログラムを実行するときに、サーバ１１はグループ間協力プラットフォームのサーバとして構成される。
【００３６】
モバイルフォン１３１、１４１、１５１およびＰＣ１３２、１４２、１５２は、グループのメンバにより使用され得る電子デバイスの例示的なタイプである。同様に使用され得る他のタイプの電子デバイスは、例えば、以下に限定するわけではないが、タブレットデバイス、ノートブックコンピュータ、ＰＤＡ（Ｐｅｒｓｏｎａｌ  Ｄｉｇｉｔａｌ  Ａｓｓｉｓｔａｎｔ）、およびウェアラブルデバイス（スマートグラスまたはスマートウォッチなど）などを含む。操作中、電子デバイスは、アプリケーションの関連サービス機能を実装する、当該アプリケーションのクライアント側プログラムを実行するように構成される。例えば、電子デバイスがグループ間協力プラットフォームのプログラムを実行するときに、電子デバイスはグループ間協力プラットフォームのクライアントとして構成される。
【００３７】
いくつかの実施形態では、グループ間協力プラットフォームのクライアントのアプリケーションを電子デバイスに予めインストールすることで、クライアントを電子デバイスで開始および実行できるようにする。他の実施形態では、オンラインの「クライアント」（例えばウェブブラウザクライアント）がＨＴＭＬ５などの技術で実装されるときに、対応するアプリケーションを電子デバイスに予めインストールする必要なく、クライアントを取得および実行することができる。
【００３８】
モバイルフォン１３１、１４１、および１５１、並びにＰＣ１３２、１４２、および１５２がサーバ１１と相互作用する際に経由するネットワーク１２は、任意のタイプの有線ネットワークまたは無線ネットワークを含む。一実施形態において、ネットワーク１２は公衆交換電話網（ＰＳＴＮ）およびインターネットを含む。
【００３９】
図２は、本開示のある実施形態に係る、プラットフォームに基づくグループ間でデータを共有するための方法を示すフロー図である。図２に示すように、電子デバイス（例えば図１のモバイルフォン１３１、１４１、および１５１、ＰＣ１３２、１４２、および１５２）で実行される方法は以下の段階を含む。
【００４０】
段階２０２：第１グループが第２グループの協力承認プロセスを開始する。様々な実施形態によれば、第１グループは任意の特定のグループを含んでよく、第２グループは第１グループ以外の１または複数のグループを含んでよい。
【００４１】
一実施形態において、第１グループは、第２グループに関係するグループ間協力プロジェクトを開始する。すなわち、第１グループは協力プロジェクトの開始者の役割を果たし、第２グループは協力プロジェクトの参加者の役割を果たす。次に、第２グループの協力承認プロセスを経て、協力プロジェクトの作成を許可するかどうかが決定される。例えば、承認が取得されると、第１グループが協力プロジェクトに基づいて第２グループとのグループ間協力を実装するように、協力プロジェクトは成功裏に作成される。承認が取得されないと、協力プロジェクトの作成が許可されないため、グループ間協力は実装されない。
【００４２】
いくつかの実施形態において、第１グループは協力プロジェクトを作成する。故に、第１グループでは協力プロジェクトに関するデータ管理および処理制御などといったタスクが実装され、グループ間協力プラットフォームのサーバは第１グループと第２グループとの間のデータパイプとして機能する。他の実施形態において、第１グループはグループ間協力プラットフォームのサーバに対するプロジェクト作成要求を開始し、サーバは協力プロジェクトを作成し、データ管理および処理制御などといった協力プロジェクトのタスクを実行する。
【００４３】
一実施形態において、第２グループはグループ間協力プロジェクトを開始する。すなわち、第２グループは協力プロジェクトの開始者の役割を果たし、第１グループは参加者の役割を果たす。この場合は、第２グループの協力承認プロセスが開始されて、第１グループが協力プロジェクトに参加できるかどうかが決定される。例えば、承認が取得されると、第１グループは協力プロジェクトに成功裏に参加して、グループ間協力を実装する。承認が取得されないと、第１グループが協力プロジェクトに参加できないため、グループ間協力は実装されない。
【００４４】
第２グループにより開始される協力プロジェクトの場合は、協力プロジェクトの作成プロセスは上記の実施形態と実質的に同様である。一実施形態において、第２グループは協力プロジェクトを作成し、グループ間協力プラットフォームのサーバはデータパイプの役割を果たす。他の実施形態において、第２グループはグループ間協力プラットフォームのサーバに対するプロジェクト作成要求を開始し、サーバは協力プロジェクトを作成し、データ管理および処理制御などといった協力プロジェクトのタスクを実行する。
【００４５】
段階２０４：協力承認プロセスが承認されたことに応答して、グループ間協力中に第１グループと第２グループとの間で協力データが共有されるように、第１グループは第２グループとのグループ間協力を実装する。
【００４６】
一実施形態において、第１グループが協力プロジェクトの開始者であるときに、第１グループは、協力プロジェクトに対応する検証情報を取得し、第２グループに検証情報を提供する。例えば、検証情報は、以下に限定するわけではないが、招待コード（例えばいくつかの文字の文字列）、バーコード（例えば一次元バーコード、２次元コード）、または任意の他の適切なフォーマットの情報を含む。更に、第１グループは、例えば、以下に限定するわけではないが、インスタントメッセージングアプリケーション、電子メール、ショートメッセージ、もしくは通話、口頭でのコミュニケーション、または任意の他の適切な方式で検証情報を送信することによって、第２グループに検証情報を提供する。
【００４７】
その後、第２グループは、検証情報を使用して協力プロジェクトに参加する。一例において、第２グループは、第２グループが協力プロジェクトに参加することが確認される検証に基づいて、検証情報を含むプロジェクト参加要求を送信する。それ故、第１グループと第２グループとの間のグループ間協力が実装される。第１グループにより協力プロジェクトが作成および維持されるいくつかの実施形態において、第２グループは第１グループに上記のプロジェクト参加要求を送信し、第１グループは検証を実行する。グループ間協力プラットフォームのサーバにより協力プロジェクトが作成および維持される他の実施形態において、第２グループはサーバに上記のプロジェクト参加要求を送信し、サーバは検証を実行する。
【００４８】
一実施形態において、第１グループが協力プロジェクトの参加者であり、かつ、第２グループが協力プロジェクトの開始者であるときに、第２グループは、協力プロジェクトに対応する検証情報を取得し、第１グループに通知する。その後、第１グループは、検証情報を使用して協力プロジェクトに参加することにより、第２グループとのグループ間協力を実装する。一例において、第２グループにより協力プロジェクトが作成および維持されると、第１グループは第２グループに上記のプロジェクト参加要求を送信し、第２グループは検証を実行する。別の例において、グループ間協力プラットフォームのサーバにより協力プロジェクトが作成および維持されると、第１グループはサーバに上記のプロジェクト参加要求を送信し、サーバは検証を実行する。
【００４９】
一実施形態において、第１グループは第２グループの信用性を事前に評価または承認する。例えば、長期的な協力関係がグループおよび／または高い信頼を得ているグループが、信頼できるグループとして予め構成される。このように、第２グループが信頼できるグループとして予め構成される場合は、第１グループは第２グループとのグループ間協力を直接実装し、協力承認プロセスなしで協力の効率を高める。
【００５０】
一例において、第１グループはグループＡＡであり、第２グループはグループＢＢであり、第３グループはグループＣＣであるなどである。これらのグループが協力データを共有するときは多くの状況がある。１つの状況では、ＡＡ、ＢＢ、およびＣＣの全てのグループ間で協力データが共有される。例えば、グループＡＡの協力データがグループＢＢおよびグループＣＣと共有され、グループＢＢの協力データがグループＡＡおよびグループＣＣと共有され、グループＣＣの協力データがグループＡＡおよびグループＢＢと共有される。言い換えると、グループ間協力に参加する全てのグループのうちの任意の２つのグループ間で協力データが共有される。別の状況では、グループ間協力に参加するグループが少なくとも１つの他のグループとの共有関係を構成する。例えば、グループＡＡの協力データがグループＣＣではなくグループＢＢと共有されるように、グループＡＡはグループＢＢとの共有関係を構成する。一方、グループＣＣは依然としてグループＡＡとの共有関係を構成して、グループＡＡと協力データを一方向に共有することができる。
【００５１】
図３は、本開示のある実施形態に係る、プラットフォームに基づくグループ間でデータを共有するための方法を示すフロー図である。図３に示すように、サーバ（例えば図１のサーバ１１）により実行される方法は以下の段階を含む。
【００５２】
段階３０２：グループ間協力プラットフォームが協力プロジェクトを作成する。
【００５３】
一実施形態において、グループ間協力プラットフォームは、グループ（例えば第１グループまたは第２グループ）により開始されるプロジェクト作成要求に応答して、対応する協力プロジェクトを作成する。
【００５４】
別の実施形態において、グループ間協力プラットフォームは単独で協力プロジェクトを作成するか、または、他のやり方で無制限に協力プロジェクトを作成する。
【００５５】
一実施形態において、協力プロジェクトを作成するときに、グループ間協力プラットフォームは、協力プロジェクトと関連付けられるグループを指定する。グループにより開始されるプロジェクト作成要求に基づいて協力プロジェクトが作成されるときに、グループは関連付けられるグループを指定する。例えば、協力プロジェクトに参加できるグループがこれらの指定されたグループに限定される一方で、他のグループは協力プロジェクトに参加することができない。別の例として、グループ間協力プラットフォームは、これらの指定されたグループにプロジェクト参加招待を送信することで、これらのグループがプロジェクト参加招待の確認応答を実行し、次に協力プロジェクトに参加するようにする。
【００５６】
一実施形態において、協力プロジェクトを作成するときに、グループ間協力プラットフォームは、協力プロジェクトと関連付けられるグループを指定せず、代わりに協力プロジェクトに参加するグループを他の方式で制御する。例えば、グループにより開始されるプロジェクト作成要求に基づいて協力プロジェクトが作成されるときに、グループ間協力プラットフォームは、要求するグループにより示されるターゲットグループにプロジェクト参加招待を送信する。別の例として、グループにより開始されるプロジェクト作成要求に基づいて協力プロジェクトが作成されるときに、グループ間協力プラットフォームは、協力プロジェクトに対応する検証情報を要求するグループに提供し、要求するグループは他のグループに検証情報を送信する。
【００５７】
段階３０４：グループ間協力プラットフォームは、協力プロジェクトに参加するグループを決定して、それらを協力プロジェクトのプロジェクト協力者として指定する。
【００５８】
一実施形態において、任意のグループにより開始されるプロジェクト作成要求に基づいて協力プロジェクトが作成されるときに、グループ間協力プラットフォームは、協力プロジェクトに参加するグループを決定することができる。例えば、グループＡＡがグループ間協力プラットフォームに対するプロジェクト作成要求を開始すると、グループ間協力プラットフォームは、対応する協力プロジェクトを作成し、デフォルトで、グループＡＡが協力プロジェクトに参加していると見なされる。
【００５９】
一実施形態において、当該グループにより示されるターゲットグループに送信されるプロジェクト参加招待が確認応答されると、グループ間協力プラットフォームは、ターゲットグループが協力プロジェクトに参加することを決定する。一例において、対応する協力プロジェクトをグループ間協力プラットフォームが作成するように、グループＡＡがグループ間協力プラットフォームに対するプロジェクト作成要求を開始すると、グループＡＡはグループ間協力プラットフォームに少なくとも１つのターゲットグループを指定する。例えば、グループＡＡがそのグループＢＢおよびグループＣＣをターゲットグループとして示すと、グループ間協力プラットフォームは、グループＢＢおよびグループＣＣを含むターゲットグループに協力プロジェクトのプロジェクト参加招待を送信する。グループＢＢがプロジェクト参加招待を確認応答すると、グループＢＢが協力プロジェクトに参加することが決定される。グループＣＣがプロジェクト参加招待を確認応答しない（例えば返信を拒否するか、または無視する）と、グループＣＣが協力プロジェクトに参加しないことが決定される。一例において、グループＡＡは、協力プロジェクトが作成される前にターゲットグループを示すことで、グループＡＡとグループＡＡにより示されるターゲットグループとの間に協力プロジェクトが限定され、他のグループが協力プロジェクトに参加できないようにする。別の例において、グループＡＡは、協力プロジェクトが作成された後にターゲットグループを示す。更に別の例において、協力プロジェクトが作成される前にグループＡＡがターゲットグループを示すときに、グループＡＡは、協力プロジェクトが作成された後にターゲットグループ（例えばグループ間協力のメンバシップ）を無制限に更新する。
【００６０】
一実施形態において、少なくとも１つのグループにより送信された受信されるプロジェクト参加要求が、協力プロジェクトに対応する検証情報を含むときに、グループ間協力プラットフォームは、少なくとも１つのグループが協力プロジェクトに参加することを決定する。この場合は、協力プロジェクトのプロジェクト協力者が検証情報にアクセスすることができる（例えば検証情報を見ることができる）。一例において、グループＡＡにより開始されるプロジェクト作成要求に基づいて協力プロジェクトが作成されると、グループＡＡはまず協力プロジェクトのプロジェクト協力者として確認され、協力が予想されるグループＢＢなどのターゲットグループにグループＡＡが検証情報を送信できるように、グループＡＡは検証情報にアクセスすることができる。その後、グループＢＢは、検証情報に基づいて協力プロジェクトに参加する。一例では、プロジェクト作成要求を開始するプロジェクト協力者のみ、例えば上記の例におけるグループＡＡのみが検証情報にアクセスすることができる。このように、グループＢＢが協力プロジェクトに参加してプロジェクト協力者になっているときでも、グループＢＢは検証情報を閲覧することができない。別の例では、全てのプロジェクト協力者が検証情報にアクセスすることができる。例えば、ひとたびグループＢＢが協力プロジェクトに参加してプロジェクト協力者になると、グループＢＢは検証情報を閲覧することができる、および／または他のグループに検証情報を送信する。
【００６１】
一実施形態において、検証情報は、以下に限定するわけではないが、招待コード（例えばいくつかの文字の文字列）、バーコード（例えば一次元バーコード、２次元コード）、または任意の他の適切なフォーマットの情報を含む。
【００６２】
一実施形態において、協力プロジェクトを作成すること、および、協力プロジェクトに参加するグループを協力データを共有するプロジェクト協力者として指定することよって、各プロジェクト協力者は、協力プロジェクトに参加するか、または協力プロジェクトを脱退することにより、協力データの共有をそれぞれ随時開始または終了する。このように、プロジェクト協力者は協力プロジェクトに非同期的に参加するか、または協力プロジェクトから非同期的に退出する。従って、全てのプロジェクト協力者間で合意に達していれば、データの共有を同期的に開始するまたは同期的に終了する必要がない。更には、このように、複数のグループ間で協力を迅速に実装すると便利である。一部のプロジェクト協力者が協力プロジェクトに参加していないか、または協力プロジェクトから退出していないシナリオでは、他のプロジェクト協力者間の部分的な協力への影響はなく、協力の効率が高まる。
【００６３】
段階３０６：グループ間協力プラットフォームは、協力プロジェクトのプロジェクト協力者間で協力データを共有する。
【００６４】
一実施形態において、グループ間協力プラットフォームは、任意のプロジェクト協力者の協力データを協力プロジェクト内の全てのプロジェクト協力者と共有する。一例では、グループＡＡ、グループＢＢ、およびグループＣＣが同じ協力プロジェクトのプロジェクト協力者であるときに、グループＡＡの協力データがグループＢＢおよびグループＣＣと共有され、グループＢＢの協力データがグループＡＡおよびグループＣＣと共有され、グループＣＣの協力データがグループＡＡおよびグループＢＢと共有される。このように、全てのプロジェクト協力者のうちの任意の２人のプロジェクト協力者間で協力データが共有される。
【００６５】
一実施形態において、グループ間協力プラットフォームは、プロジェクト協力者により開始される共有関係構成要求を取得する。グループ間協力プラットフォームは、プロジェクト協力者の協力データを共有関係構成要求に示される１人または複数のプロジェクト協力者と共有し、プロジェクト協力者の協力データを他のプロジェクト協力者と共有することを回避する。一例では、グループＡＡ、グループＢＢ、およびグループＣＣが同じ協力プロジェクトのプロジェクト協力者であるときに、グループＡＡは、共有関係構成要求内でデータを共有するプロジェクト協力者を選択する。例えば、グループＡＡにより選択される共有関係がグループＢＢを含むときは、共有されるべきグループＡＡのデータがグループＣＣではなくグループＢＢと共有される。更に、各プロジェクト協力者は、独自の協力データの共有関係を構成することができる。
【００６６】
一実施形態において、一部のプロジェクト協力者が協力プロジェクトから退出すると、グループ間協力プラットフォームは、共有を終了することなく残りのプロジェクト協力者間で協力データを共有し続ける。グループ間協力プラットフォームにより採用される共有ポリシが、任意のプロジェクト協力者の協力データを協力プロジェクト内の全てのプロジェクト協力者と共有することであるときに、「全てのプロジェクト協力者」のメンバシップは「残りのプロジェクト協力者」に更新され、共有ポリシは継続的に実装される。グループ間協力プラットフォームが共有関係構成要求に基づいてプロジェクト協力者に対応する共有先グループを決定すると、退出したプロジェクト協力者の協力データは残りのプロジェクト協力者と共有されなくなり、残りのプロジェクト協力者の協力データは、退出したプロジェクト協力者と共有されなくなる。
【００６７】
一実施形態において、プロジェクト協力者により設定される共有先グループが全て協力プロジェクトから退出し、かつ、プロジェクト協力者が他のプロジェクト協力者との任意の共有関係に属さないときは、プロジェクト協力者が協力プロジェクトから削除されて、協力プロジェクトと関連付けられるリソースをプロジェクト協力者が占有しないようにする。
【００６８】
一実施形態において、グループ間協力プラットフォームは、プロジェクト協力者により生成される協力データを協力プロジェクトに対応する共有スペースに記憶し、共有スペースは協力プロジェクトのプロジェクト協力者にアクセス許可を提供する。一例において、協力プロジェクトに対応する共有スペースは、グループ間協力プラットフォームに配置される。他の例において、協力プロジェクトに対応する共有スペースは、グループ間協力プラットフォームの外側の記憶スペースに無制限に配置される。この場合は、プロジェクト協力者が共有スペース内の協力データを都合よく共有および利用できるように、同じ協力プロジェクトの全てのプロジェクト協力者により生成される協力データが、協力プロジェクトに対応する共有スペースに一元的に記憶されるので、共有効率が高まる。
【００６９】
一実施形態において、グループ間協力プラットフォームは、各プロジェクト協力者により生成される協力者データを対応する協力者共有スペースに記録する。このように、グループ間協力プラットフォームは、協力プロジェクトのプロジェクト協力者に対応するそれぞれの協力者共有スペースの自動協力データ同期を実装する。この場合は、プロジェクト協力者が、対応する協力者共有スペースを使用して協力データを記録するが、この方が、対応するプロジェクト協力者の実際の状況（例えばネットワーク条件、記憶スペースサイズ）に適している。一例において、協力者共有スペースはプロジェクト協力者のローカル記憶スペースである。ネットワークが安定していないときでも、プロジェクト協力者は、協力データがローカル記憶スペースに確実に記憶されるようにする。ネットワークが安定した状態に戻った後、グループ間協力プラットフォームは、協力者の共有スペース間で協力データを自動的に同期する。
【００７０】
いくつかの実施形態では、グループ間協力プラットフォームが協力者共有スペース間で協力データを自動的に同期するときに、周期的な（またはトリガされた）完全データ同期または増分データ同期が適用される。例えば、協力者共有スペース内の協力データが編集される、および／または、新たに追加された協力データがあると、編集された協力データおよび／または新たに追加された協力データは、他の協力者共有スペースに遅延なく同期される。データ同期方式の他のメカニズムが無制限に採用され得る。
【００７１】
一実施形態において、グループ間協力プラットフォームは、プロジェクト協力者により割り当てられる独自の内部システム内の協力データに対するアクセス権を記録する。アクセス権は、対応するプロジェクト協力者が協力プロジェクトから退出すると無効になる。あるプロジェクト協力者が別のプロジェクト協力者の協力データに対するアクセス要求を開始すると、グループ間協力プラットフォームは、記録される他のプロジェクト協力者の内部システムに対するアクセス権によって、プロジェクト協力者が他のプロジェクト協力者の内部システム内の協力データにアクセスすることを容易にする。この場合は、プロジェクト協力者が独自の内部システムに協力データを記録し、プロジェクト協力者と関連付けられる内部グループメンバが、関連する協力データを都合よく取得および使用する。同時に、アクセス権が他のプロジェクト協力者に割り当てられるのではなく、グループ間協力プラットフォームに記録されることで、他のプロジェクト協力者によるアクセス権の悪用が制限され、内部システムにおけるアクセス操作が確実にグループ間協力プラットフォームの管理下で実装される。一例において、あるプロジェクト協力者が別のプロジェクト協力者の協力データに対するアクセス要求を開始すると、グループ間協力プラットフォームは、記録される他のプロジェクト協力者の内部システムに対するアクセス権に基づいて、グループ間協力プラットフォームとプロジェクト協力者との間のアクセスチャネル、およびグループ間協力プラットフォームと他のプロジェクト協力者との間のアクセスチャネルを個別に確立する。このように、プロジェクト協力者は、グループ間協力プラットフォームを介して他のプロジェクト協力者への安全なアクセスを実装する。
【００７２】
一実施形態において、対応する内部システムへのアクセス権のアクセス範囲は、以下に限定するわけではないが、指定されたアクセス経路、指定された権利のデータ、指定されたタイプのデータ、指定された期間に生成されるデータ、および指定された部署の従業員により生成されるデータなどのうちの少なくとも１つを含む。
【００７３】
図４Ａは、本開示のある実施形態に係る、作成グループに基づくグループ間でデータを共有するための方法を示すフロー図である。図４Ａに示すように、電子デバイス（例えば図１のモバイルフォン１３１、１４１、および１５１、ＰＣ１３２、１４２、および１５２）で実行される方法は以下の段階を含む。
【００７４】
段階４０２Ａ：グループが、グループ間協力プラットフォームに対する、グループ間協力プラットフォームで協力プロジェクトを作成するための協力プロジェクト作成要求を開始する。
【００７５】
段階４０４Ａ：グループは、協力プロジェクトに参加する少なくとも１つの他のグループと協力データを共有する。
【００７６】
一実施形態において、グループは、グループ間協力プラットフォームに対して協力プロジェクトに関連するターゲットグループを指定し、グループ間協力プラットフォームはターゲットグループにプロジェクト参加招待を送信する。プロジェクト参加招待がターゲットグループにより確認応答されると、ターゲットグループは、協力プロジェクトに参加することが確認される。
【００７７】
一実施形態において、グループはターゲットグループの協力承認プロセスを開始する。ターゲットグループの協力承認プロセスが承認されると、グループは、グループ間協力プラットフォームがターゲットグループにプロジェクト参加招待を送信するように、グループ間協力プラットフォームに対してターゲットグループを指定する。別の実施形態において、グループは、他のグループの信用性を事前に評価または承認し、長期的な協力がグループおよび／または信頼できるグループとして高い信頼を得ているグループを予め構成する。それ故、ターゲットグループが予め構成された信頼できるグループであるときに、グループは協力承認プロセスなしでグループ間協力プラットフォームにターゲットグループを示す。このように、グループ間協力プラットフォームがターゲットグループにプロジェクト参加招待を送信することにより、協力プロジェクトに参加するターゲットグループの効率が高まる。
【００７８】
一実施形態において、グループは、協力プロジェクトに対応する検証情報を取得し、検証情報はグループ間協力プラットフォームに記録される。その後、グループはターゲットグループに検証情報を送信し、ターゲットグループは、検証情報を含むプロジェクト参加要求をグループ間協力プラットフォームに送信すると、協力プロジェクトに参加することが確認される。様々な実施形態によれば、検証情報は、以下に限定するわけではないが、招待コード（例えばいくつかの文字の文字列）、バーコード（例えば一次元バーコード、２次元コード）、または任意の適切なフォーマットの情報を含む。
【００７９】
一実施形態において、グループはターゲットグループの協力承認プロセスを開始し、ターゲットグループの協力承認プロセスが承認されると、ターゲットグループに検証情報を送信する。別の実施形態において、ターゲットグループが予め構成された信頼できるグループであるときに、グループは協力承認プロセスなしでターゲットグループに検証情報を送信する。
【００８０】
一実施形態において、上記の開始するグループはグループＡＡであり、協力プロジェクトに参加する他のグループはグループＢＢおよびグループＣＣなどを含む。これらのグループが協力データを共有するときは多くの状況がある。１つの状況では、全てのグループ間で協力データが共有される。例えば、グループＡＡの協力データがグループＢＢおよびグループＣＣと共有され、グループＢＢの協力データがグループＡＡおよびグループＣＣと共有され、グループＣＣの協力データがグループＡＡおよびグループＢＢと共有される。言い換えると、全てのプロジェクト協力者のうちの任意の２人のプロジェクト協力者間で協力データが共有される。別の状況では、協力プロジェクトに参加するグループがグループ間協力プラットフォームに対する共有関係構成要求を開始し、協力プロジェクトに参加する少なくとも１つのグループを共有先グループとして構成する。例えば、グループＡＡがグループＢＢを共有先グループとして設定すると、グループＡＡの協力データがグループＣＣではなくグループＢＢと共有される。一方、グループＣＣは依然としてグループＡＡを共有先グループとして設定して、グループＡＡと協力データを一方向に共有することができる。
【００８１】
図４Ｂは、本開示のある実施形態に係る、参加者グループに基づくグループ間でデータを共有するための方法を示すフロー図である。図４Ｂに示すように、電子デバイス（例えば図１のモバイルフォン１３１、１４１、および１５１、ＰＣ１３２、１４２、および１５２）で実行される方法は以下の段階を含む。
【００８２】
段階４０２Ｂ：グループが、グループ間協力プラットフォームで作成される協力プロジェクトに参加する。
【００８３】
一実施形態において、協力プロジェクトは、例えば図３に示す実施形態に従って作成される。他の実施形態において、協力プロジェクトは、開示の制限なく他の方式で作成される。
【００８４】
一実施形態において、グループ間協力プラットフォームにより送信されたプロジェクト参加招待を受信した後、グループはプロジェクト参加招待を確認応答して協力プロジェクトに参加する。グループ間協力プラットフォームは、協力プロジェクトの作成を要求するグループ、または協力プロジェクトに既に参加しているグループの命令の下、グループにプロジェクト参加招待を送信する。
【００８５】
一実施形態において、プロジェクト参加招待を受信した後、グループは、協力プロジェクトに参加する別のグループの協力承認プロセスを開始する。ひとたび他のグループの協力承認プロセスが承認されると、グループはプロジェクト参加招待を確認応答する。別の実施形態において、他のグループが信頼できるグループとして予め構成されているときに、グループは協力承認プロセスなしでプロジェクト参加招待を確認応答する。
【００８６】
一実施形態において、協力プロジェクトに既に参加している別のグループにより送信された検証情報を受信した後、グループは、検証情報を含むプロジェクト参加要求をグループ間協力プラットフォームに送信して、検証情報に対応する協力プロジェクトに参加する。
【００８７】
一実施形態において、グループは、検証情報を送信する他のグループの協力承認プロセスを開始する。他のグループの協力承認プロセスが承認されると、グループは、検証情報を含むプロジェクト参加要求をグループ間協力プラットフォームに送信する。別の実施形態において、他のグループが予め構成された信頼できるグループであるときに、グループは、検証情報を含むプロジェクト参加要求を協力承認プロセスなしでグループ間協力プラットフォームに送信する。
【００８８】
段階４０４Ｂ：グループは、協力プロジェクトに参加する少なくとも１つの他のグループと協力データを共有する。
【００８９】
一実施形態において、上記の参加者グループはグループＡＡであり、協力プロジェクトに参加する他のグループはグループＢＢおよびグループＣＣなどを含む。これらのグループが協力データを共有するときは多くの状況がある。１つの状況では、全てのグループ間で協力データが共有される。例えば、グループＡＡの協力データがグループＢＢおよびグループＣＣと共有され、グループＢＢの協力データがグループＡＡおよびグループＣＣと共有され、グループＣＣの協力データがグループＡＡおよびグループＢＢと共有される。言い換えると、協力データは、全てのプロジェクト協力者のうちの任意の２人のプロジェクト協力者間で共有される。別の状況では、協力プロジェクトに参加するグループがグループ間協力プラットフォームに対する共有関係構成要求を開始し、協力プロジェクトに参加する少なくとも１つのグループを共有先グループとして構成する。例えば、グループＡＡがグループＢＢを共有先グループとして設定すると、グループＡＡの協力データがグループＣＣではなくグループＢＢと共有される。一方、グループＣＣは依然としてグループＡＡを共有先グループとして設定して、グループＡＡと協力データを一方向に共有することができる。
【００９０】
いくつかの実施形態において、上記の「グループ」による操作は、対応するグループに属するユーザアカウントを介した対応する操作である。例えば、操作は、以下に限定するわけではないが、プロジェクト作成要求の開始、プロジェクト参加要求の開始、検証情報の送信、確認応答の実行、またはターゲットグループの指示などの協力管理操作、プロジェクト協力の実装または協力データの生成などの協力操作を含む。
【００９１】
容易に理解できるよう、以下では、例示的な企業シナリオにおける企業間の研究開発協力を使用して、本開示の実施形態で提供する技術的解決策について説明する。しかしながら、本明細書で使用するように、「グループ」という用語は、以下に限定するわけではないが、企業に加えて学校、病院、軍隊、および省庁など、多くの他のタイプのエンティティを更に含んでよい。
【００９２】
この例では、企業ＡＡ、企業ＢＢ、および企業ＣＣの間で研究開発協力を実装する必要がある。グループ間協力プラットフォームのクライアントが、企業ＡＡ、企業ＢＢ、および企業ＣＣの企業メンバにより使用される電子デバイスで実行するように構成される。企業ＡＡの企業メンバが、対応するクライアントの独自のユーザアカウントにログインし、当該クライアントを企業ＡＡに対応する協力ノード１として構成する。同様に、企業ＢＢの企業メンバが、対応するクライアントの独自のユーザアカウントにログインし、当該クライアントを企業ＢＢに対応する協力ノード２として構成し、企業ＣＣの企業メンバが、対応するクライアントの独自のユーザアカウントにログインし、当該クライアントを企業ＣＣに対応する協力ノード３として構成する。
【００９３】
企業ＡＡを例に挙げると、複数の企業メンバが企業ＡＡと関連付けられ、当該企業メンバの各々は、それぞれの電子デバイスで実行されるグループ間協力プラットフォームのクライアントを有する。これらの企業メンバはそれぞれのクライアントの異なるユーザアカウントにログインするが、これらの企業メンバが企業ＡＡに属しているため、対応するクライアントは全て、上記の協力ノード１として構成されているものとして扱われる。すなわち、「協力ノード１」は、企業ＡＡの個々の企業メンバのユーザアカウントに対応する個々のクライアントではなく、企業ＡＡの企業メンバがログインするクライアントの集合として実装される。同様に、企業ＢＢの協力ノード２および企業ＣＣの協力ノード３は同様の「集合」を含むが、本明細書ではその説明を繰り返さない。
【００９４】
図５は、本開示のある実施形態に係る企業間協力を実装する相互作用プロセスを示すフロー図である。この例において、図５に示す、上記の協力ノード１、２、３、およびグループ間協力プラットフォームのサーバの間の相互作用プロセスは、企業ＡＡ、企業ＢＢ、および企業ＣＣの間の研究開発協力を実装する。以下では、図６から図１３を参照して相互作用プロセスを示す。図５に示すように、相互作用プロセスは以下の段階を含む。
【００９５】
段階５０１：協力ノード１がプロジェクト作成申請を提出する。
【００９６】
一実施形態において、企業ＡＡが協力プロジェクトの作成操作を開始し、企業ＡＡ内でプロジェクト作成申請が提出されて、対応する協力プロジェクトの作成が要求される。一例において、係る申請は、図６に示すように、例示的なプロジェクト作成申請ユーザインタフェースで提出される。ここでは、図６に示すように、企業ＡＡのメンバＸｉａｏｂａｉが申請を開始することになっており、協力ノード１が、プロジェクト作成申請インタフェース６００を提供するように構成される。タグ６０２を選択すると、Ｘｉａｏｂａｉはプロジェクト作成申請インタフェース６００に入って、協力プロジェクトを作成する。タグ６０４を選択すると、Ｘｉａｏｂａｉは、対応するプロジェクト参加申請インタフェースに入って、別の企業により作成される協力プロジェクトに参加する。
【００９７】
一実施形態において、プロジェクト作成申請インタフェース６００で、Ｘｉａｏｂａｉは、協力プロジェクトに関連する内容を記入する必要がある。例えば、プロジェクト作成申請インタフェース６００では、プロジェクト名、プロジェクトの説明、共有内容、プロジェクトリーダ、プロジェクトメンバ、および協力企業などの情報を入力する。「共有内容」要素は、企業ＡＡが協力プロジェクト内の協力企業と共有する協力データのタイプを表す。例えば、本明細書に示すように、「プロジェクトの基本情報」、「プロジェクトメンバ情報」、および「作業プロジェクトと関連するデータおよび構成」に対応するボックスにチェックを入れて、それらのタイプの情報が共有されるべきであることを示す。他の例（不図示）において、いくつかのタイプの協力データに対応するボックスにチェックを入れないときは、それらのタイプのデータが共有されるべきはでない。他の実施形態では、上記のタイプの協力データに加えて、他のタイプの協力データ（不図示）も無制限に指定され得る。「プロジェクトリーダ」要素および「プロジェクトメンバ」要素は、協力プロジェクトに関連する企業ＡＡ内の（異なる役割を持つ）メンバを表す。それ故、指定されたメンバは、協力ノード１にログインした後、協力プロジェクトに参加し、協力企業と協力データを共有する。これに対して、企業ＡＡの他のメンバが同じやり方で操作することはできない。「協力企業」要素は、グループ間協力プラットフォームに登録される１または複数の企業を含む。例えば、企業名または企業ＩＤなどを入力することにより、Ｘｉａｏｂａｉは、対応する企業を協力企業として「協力企業」要素に追加する。
【００９８】
図６をなおも参照すると、この例において、「プロジェクト名」要素に対応するテキストボックスには、作成される協力プロジェクトのタイトルが「プロジェクトＸ」として入力される。協力プロジェクトの説明は、「ユーザの要件を満たす新製品の共同研究開発・・・」として「プロジェクトの説明」要素に対応するテキストボックスに入力される。企業ＡＡのプロジェクトリーダは「Ｘｉａｏｂａｉ」として入力され、プロジェクトメンバは「Ｂａｉｂａｉ」および「Ｘｉａｏｈｅｉ」として入力され、協力企業は「企業ＢＢ」および「企業ＣＣ」として入力される。また、本明細書に示すように、協力企業との共有が許可されている、企業ＡＡにより生成される協力データが「プロジェクトの基本情報」、「プロジェクトメンバ情報」、および「作業プロジェクトと関連するデータおよび構成」などのトピックに関する情報を含む。間違いがないことを確認した後、Ｘｉａｏｂａｉは、プロジェクト作成申請インタフェース６００で「申請を提出する」というオプションをトリガすることにより「プロジェクトＸ」のプロジェクト作成申請を提出する。
【００９９】
段階５０２：協力ノード１は、プロジェクト作成申請が承認されるかどうかを決定し、申請が承認されたことに応答して、サーバにプロジェクト作成要求を送信する。
【０１００】
一実施形態において、協力ノード１は、「プロジェクトＸ」のプロジェクト作成申請に応答して内部承認操作を開始する。一例において、係る承認操作は、図７に示すように、例示的な承認インタフェース７００を介して提供される。図７の承認インタフェース７００の上部には「承認プロセス」という欄、下部には「承認の内容」という欄が含まれる。本明細書に示すように、「承認プロセス」欄は、プロジェクト作成申請の承認担当者にＸｉａｏｂａｉの監督者および副監督者が含まれることを表示する。承認担当者は、「承認の内容」の欄にある情報を閲覧した後、プロジェクト作成申請の承認操作を行う。更に、Ｘｉａｏｂａｉおよび承認担当者は、承認プロセスを通じて「承認プロセス」欄を介してプロジェクト作成申請の承認進捗をチェックすることができる。一例において、ひとたびＸｉａｏｂａｉが申請を提出すると、申請は監督者により検討され、監督者が申請を承認した後、申請は副監督者により検討され、副監督者が申請を承認した後、申請が承認されたことが確認される。
【０１０１】
いくつかの実施形態では、段階５０２が必須ではない。いくつかのシナリオでは、承認プロセスが完全に省略される。いくつかの他のシナリオでは、承認プロセスが改善される。例えば、協力企業が予め構成された信頼できる協力者であるときは、承認プロセスが省略されるか、または、監督者および副監督者が承認の申請を手動で検討する必要なくして直接承認が取得されるので、協力プロジェクトが迅速に作成される。「信頼できる協力者」の構成については以下で詳細に説明する。
【０１０２】
更に、この例において、Ｘｉａｏｂａｉはプロジェクト作成申請インタフェース６００を介して申請情報を入力し、Ｘｉａｏｂａｉは協力プロジェクトのプロジェクトリーダである。しかしながら、プロジェクト作成申請インタフェース６００で情報を入力するメンバが必ずしも他の例においてプロジェクトリーダである必要はない。
【０１０３】
段階５０３：サーバは、協力ノード１により送信されるプロジェクト作成要求に基づいて、対応する協力プロジェクトを作成する。
【０１０４】
段階５０４：サーバは、作成される協力プロジェクトの一意的な対応する招待コードを生成し、招待コードは協力ノード１により取得される。
【０１０５】
段階５０５：協力ノード１は、企業ＢＢに対応する協力ノード２および企業ＣＣに対応する協力ノード３に招待コードを送信する。
【０１０６】
いくつかの実施形態において、企業ＢＢおよび企業ＣＣはどちらも、招待コードを使用して企業ＡＡにより作成される協力プロジェクトに追加される。このように、無関係な企業の追加が回避され、企業間協力中のデータの安全性が高まる。図７に示すような一例において、承認が取得された後、協力ノード１は、サーバとの相互作用を通じて招待コードを取得し、「承認プロセス」の欄に表示される情報の一部として、招待コードを承認インタフェース７００に表示するように構成される。例えば、図７に示す招待コードは「ｂ１１ｆｃｅ」という文字列である。
【０１０７】
一実施形態において、協力ノード１は招待コードに伝送機能を提供することで、協力ノード２および協力ノード３に招待コード（例えば承認インタフェース７００に示すもの）を迅速に送信する。他の実施形態では、Ｘｉａｏｂａｉなどの企業ＡＡのメンバが、例えば、以下に限定するわけではないが、インスタントメッセージングアプリケーション、電子メール、ショートメッセージ、通話、または任意の他のメカニズムを介して、企業ＢＢおよび企業ＣＣのメンバに招待コードを送信する。
【０１０８】
一実施形態において、上記の協力プロジェクトＸが作成された後、企業ＡＡのプロジェクトリーダおよびプロジェクトメンバは、協力ノード１にログインした後にプロジェクトＸの関連情報を検討し、当該関連情報にアクセスすることができる。一例において、係るアクセスは、図８に示すように、例示的なプロジェクト管理インタフェース８００で提供される。この例において、Ｘｉａｏｂａｉは、協力ノード１にログインした後、図８のプロジェクト管理インタフェース８００にアクセスして、プロジェクトＸの関連情報を閲覧する。プロジェクト管理インタフェース８００は、第１関係者の役割を果たす企業ＡＡ、協力者の役割を果たす企業ＢＢ、および同様に協力者の役割を果たす企業ＣＣにそれぞれ対応するタグ８０２、８０４、および８０６を提供する。協力プロジェクトにまだ参加していない企業ＢＢに対応するタグ８０４を選択すると、Ｘｉａｏｂａｉには「協力社員がプロジェクトに参加していません」というメッセージが提示され、当該メッセージはプロジェクト管理インタフェース８００に表示される。
【０１０９】
様々な例において、企業ＢＢおよび企業ＣＣはその両方が企業ＡＡにより作成される協力プロジェクトに参加するわけではないかもしれない。一例では、企業ＢＢのみが協力プロジェクトに参加する一方で、企業ＣＣは協力プロジェクトに参加しない。それ故、企業ＡＡは、協力プロジェクトへの企業ＣＣの不参加の影響を受けることなく、研究開発協力中に企業ＢＢと依然としてデータを共有する。別の例において、企業ＢＢおよび企業ＣＣが協力プロジェクトに参加していない場合は、企業ＡＡは、企業ＢＢおよび企業ＣＣの両方の不参加の影響を受けることなく、率先して協力プロジェクトに参加し、対応する協力データを生成することができる。このように、プロジェクト参加者は、自分達の間で不必要に関連付けをすることも影響を及ぼすこともなく、協力プロジェクトに非同期的に参加する。協力プロジェクトが参加者により作成または実施される前に全てのプロジェクト参加者が確認する必要がないので、操作が簡略化され、効率が高まる。
【０１１０】
段階５０６：協力ノード２および協力ノード３はプロジェクト参加申請を個別に提出する。
【０１１１】
一実施形態において、係るプロジェクト参加申請は、図９に示すように、例示的なプロジェクト参加申請インタフェース９００を介して提出される。図９に示すように、プロジェクト参加申請インタフェース９００はタグ９０２から９０４を含む。タグ９０２がトリガされると、対応するプロジェクト作成申請インタフェース（例えば図６のプロジェクト作成申請インタフェース６００）が、協力プロジェクトを作成するために提示される。本明細書の図９に示すように、タグ９０４がトリガされると、プロジェクト参加申請インタフェース９００は、別の企業により作成される協力プロジェクトに参加するために提示される。
【０１１２】
この例では、Ｘｉａｏｂａｉにより作成される協力プロジェクトＸに参加するために、企業ＢＢのメンバが、図９に示すように、協力ノード２でプロジェクト参加申請インタフェース９００に入る。企業ＣＣのメンバが協力ノード３で協力プロジェクトＸに参加するプロセスは、企業ＢＢのプロセスと実質的に同様である。
【０１１３】
図９に示すように、プロジェクト参加申請インタフェース９００は、招待コードを入力するための入力ボックス９０５を提供する。図９に示す例において、入力ボックス９０５には、協力ノード１により提供される「ｂ１１ｆｃｅ」が入力される。結果として、プロジェクト参加申請インタフェース９００には、プロジェクト名、プロジェクトの説明、共有内容、および（例えば、協力企業が企業ＡＡである、といった）協力者情報などの協力プロジェクトＸの関連情報が表示される。更に、企業ＢＢのメンバは、「第１関係者情報」の欄にプロジェクトリーダおよびプロジェクトメンバに関連する企業ＢＢ側の情報を構成する。図９に示すこの例において、企業ＢＢのメンバは、テキストボックス９０６および９０８をそれぞれ使用して、プロジェクトリーダを「Ｘｉａｏｍｅｉ」、プロジェクトメンバを「Ｌａｏｗａｎｇ」および「Ｈｕａｎｇ」に設定する。間違いがないことを確認した後、プロジェクト参加申請インタフェース９００内の「申請を提出する」というオプションをトリガすることにより、「プロジェクトＸ」のプロジェクト参加申請が提出される。
【０１１４】
段階５０７：協力ノード２および協力ノード３は、それぞれのプロジェクト参加申請が承認されるかどうかを個別に決定し、承認に応答して段階５０８に進む。
【０１１５】
一実施形態において、協力ノード２は、提出された「プロジェクトＸ」のプロジェクト参加申請に応答して内部承認操作を開始する。一例において、係る承認操作は、図１０に示すように、例示的な承認インタフェース１０００で提供される。図１０の承認インタフェース１０００の上部には「承認プロセス」の欄、下部には「承認の内容」の欄が含まれる。「承認プロセス」の欄に表示されているように、プロジェクト参加申請の承認担当者はＸｉａｏｍｅｉの監督者および副監督者を含む（図９に示すプロジェクト参加申請インタフェース９００を使用して、Ｘｉａｏｍｅｉによりプロジェクト参加申請が提出されると仮定する）。承認担当者は、「承認の内容」の欄を閲覧した後、プロジェクト参加申請の承認操作を行う。この例において、Ｘｉａｏｍｅｉおよび承認担当者は、承認プロセスを通じて「承認プロセス」の欄でプロジェクト参加申請の承認進捗を閲覧することができる。Ｘｉａｏｍｅｉが申請を提出した後、申請は監督者により検討され、監督者が申請を承認した後、申請は副監督者により検討され、副監督者が申請を承認した後、申請が承認されていることが確認される。
【０１１６】
いくつかの実施形態では、段階５０７が必須ではない。いくつかのシナリオでは、承認プロセスが完全に省略される。いくつかの他のシナリオでは、承認プロセスが改善される。例えば、協力企業が予め構成された信頼できる協力者であるときは、承認プロセスが省略されるか、または、監督者または副監督者が申請を手動で承認する必要なくして直接承認が取得されることにより、協力プロジェクトへの迅速な参加が容易になる。
【０１１７】
「信頼できる協力者」の構成は、上記の段階５０２との関連で説明した「信頼できる協力者」と実質的に同様である。実装では、協力プロジェクトの作成または協力プロジェクトへの参加を承認する際に、協力企業が信用できるかどうか、および／または協力のリスクがあるかどうかなどが考慮される。故に、それらの一般的な協力企業の場合は、一回の承認の結果は、対応する協力プロジェクト（例えば協力企業が参加する協力プロジェクト）の作成または当該協力プロジェクトへの参加の一例にのみ適用可能である。一方で、それらの信用できる企業または長期的な協力関係の企業の場合は、「信頼できる協力者」のステータスが構成されるか、または企業が一回の承認で「信頼できる協力者のリスト」に追加される。後者の場合は、承認操作の結果が、対応する協力プロジェクトの作成または当該協力プロジェクトへの参加の多くのプロセスに適用可能である。いくつかの例では、承認操作の結果が、一定期間（例えば１年）内の対応する協力プロジェクトの作成または当該協力プロジェクトへの参加の全てのプロセスに適用可能であり、対応する協力プロジェクトの作成または当該協力プロジェクトへの参加ごとに承認操作を実装することが回避される。
【０１１８】
一例において、信頼できる協力者を追加する上記の操作は、図１１に示すように、信頼できる協力者を追加するための例示的な承認インタフェース１１００を使用して承認される。図９のプロジェクト参加申請インタフェース９００内の「ここをクリックして申請する」というリンク９０９が操作されると、企業ＡＡを企業ＢＢの「信頼できる協力者」として構成するための承認操作が開始され得る。故に、対応する承認進捗は、例えば図１１の承認インタフェース１１００で閲覧される。同様に、図６のプロジェクト作成申請インタフェース６００には、追加される協力企業に関連して「ここをクリックして申請する」というリンクまたは同様のオプションが表示されてもよく、対応する協力企業が、信頼できる協力者として迅速に追加される。
【０１１９】
段階５０８：協力ノード２および協力ノード３は、協力プロジェクトに個別に参加した後、協力ノード１と協力データを共有する。
【０１２０】
図１２は、本開示のある実施形態に係る別のプロジェクト管理インタフェースを示す図である。この例において、Ｘｉａｏｂａｉは、協力ノード１にログインした後、図１２のプロジェクト管理インタフェース１２００に入って、プロジェクトＸの関連情報を閲覧する。プロジェクト管理インタフェース１２００は、第１関係者の役割を果たす企業ＡＡ、並びに、協力者の役割を果たす企業ＢＢおよび企業ＣＣにそれぞれ対応するタグ１２０２、１２０４、および１２０６を提供する。Ｘｉａｏｂａｉが、その時点で協力プロジェクトに既に参加している企業ＢＢに対応するタグ１２０４を選択すると、企業ＢＢに関する情報がプロジェクト管理インタフェース１２００に表示される。この例に示すように、プロジェクトリーダは「Ｘｉａｏｍｅｉ」であり、プロジェクトメンバは「Ｌａｏｗａｎｇ」および「Ｈｕａｎｇ」であり、共有内容は「プロジェクトの基本情報」および「プロジェクトメンバ情報」および「作業プロジェクトと関連するデータおよび構成」を含む。
【０１２１】
一実施形態において、プロジェクト管理インタフェース１２００は、図１２に示すように、アクセスオプション１２０８を含む。Ｘｉａｏｂａｉ、Ｂａｉｂａｉ、およびＸｉａｏｈｅｉなどの協力ノード１の企業メンバは、アクセスオプション１２０８をトリガすることによって、企業ＢＢにより生成される共有される協力データに迅速にアクセスする。同様に、Ｘｉａｏｂａｉ、Ｂａｉｂａｉ、およびＸｉａｏｈｅｉなどの協力ノード１の企業メンバは、タグ１２０６を操作することで企業ＣＣに対応するオプションへのアクセスを取得することによって、企業ＣＣにより生成される共有される協力データに迅速にアクセスする。
【０１２２】
同様に、Ｘｉａｏｍｅｉ、Ｌａｏｗａｎｇ、およびＨｕａｎｇなどの協力ノード２の企業メンバ、または協力ノード３の企業メンバは、タグ１２０２をトリガすることで企業ＡＡに対応するアクセスオプションを取得することによって、企業ＡＡにより生成される共有される協力データに迅速にアクセスする。
【０１２３】
企業ＢＢおよび企業ＣＣの場合は多くの状況がある。例えば、１つの状況では、協力データの共有が協力プロジェクトの「第１関係者」と「協力者」との間でのみ許可され、「協力者」間では許可されない。故に、協力データが企業ＡＡと企業ＢＢとの間および企業ＡＡと企業ＣＣとの間では共有されるが、企業ＢＢと企業ＣＣとの間では共有されない。別の状況では、協力プロジェクトの全ての参加者が互いに協力データを共有する。言い換えると、協力データが企業ＡＡと企業ＢＢとの間、企業ＡＡと企業ＣＣとの間、および企業ＢＢと企業ＣＣとの間で共有される。
【０１２４】
協力ノードにより生成される協力データの記憶およびアクセスを実装するには、任意の適切なメカニズムが無制限に適用可能である。
【０１２５】
一実施形態において、各協力ノードには対応する記憶スペースがある。例えば、協力ノード１は記憶スペース１に対応し、記憶スペース１は、企業ＡＡの企業メンバにより生成される協力データを記憶するために使用され、協力ノード２は記憶スペース２に対応し、記憶スペース２は、企業ＢＢの企業メンバにより生成される協力データを記憶するために使用され、協力ノード３は記憶スペース３に対応し、記憶スペース３は、企業ＣＣの企業メンバにより生成される協力データを記憶するために使用される。本開示の実施形態では記憶スペースの位置について限定しない。例えば、記憶スペースは、クラウドスペース、ローカルスペース、公共スペース、および企業内のシステムスペースのうちの１または複数を含んでよい。上記の例において、協力プロジェクトＸに参加するときに、各プロジェクト参加者は、グループ間協力プラットフォームのサーバに独自の記憶スペースへのアクセス権を割り当てる。例えば、グループ間協力プラットフォームのサーバに対して、企業ＡＡは記憶スペース１のアクセス権を割り当て、企業ＢＢは記憶スペース２のアクセス権を割り当て、企業ＣＣは記憶スペース３のアクセス権を割り当てる。このように、Ｘｉａｏｂａｉが図１２のアクセスオプション１２０８をトリガすると、Ｘｉａｏｂａｉが協力ノード１と関連付けられていることを確認した後、グループ間協力プラットフォームのサーバは、企業ＢＢにより割り当てられる記憶スペース２へのアクセス権を使用して、協力ノード１の記憶スペース２にアクセスできるようにする。それ故、協力データが共有されるだけでなく、記憶スペースのデータの安全性も確保される。
【０１２６】
いくつかの実施形態において、協力の終了に対応する記憶スペースにアクセスすることに加えて、グループ間協力プラットフォームのサーバは、協力の終了に対応する記憶スペース間でデータ同期を能動的に実行する。このように、各プロジェクト参加者は、全てのプロジェクト参加者により生成される協力データにアクセスするために独自の記憶スペースにアクセスするだけでよいので、操作が更に簡略化される。
【０１２７】
一実施形態において、協力プロジェクトには対応する統合記憶スペースがあり、全ての協力ノードは統合記憶スペースに対応し、生成される協力データを統合記憶スペースに記憶する。図１３は、本開示のある実施形態に係る別のプロジェクト管理インタフェースを示す図である。図１３のプロジェクト管理インタフェース１３００は、全てのプロジェクト参加者に対応するアクセスオプション１３０２を含む。企業ＡＡ、企業ＢＢ、および企業ＣＣは全て、アクセスオプション１３０２を操作することにより、協力プロジェクトＸに対応する統合記憶スペースにアクセスすることができる。協力データの共有が協力プロジェクトの「第１関係者」と「協力者」との間でのみ許可され、「協力者」間では許可されないときに、グループ間協力プラットフォームのサーバは、アクセスオプション１３０２を操作する関係者のアイデンティティ情報に基づいて、統合記憶スペース内の操作する関係者によりアクセス可能な協力データを制限する。一例では、操作する関係者が企業ＡＡに属すると、企業ＡＡ自体、企業ＢＢ、および企業ＣＣにより生成される協力データにアクセスすることができる。操作する関係者が企業ＢＢに属すると、企業ＢＢ自体および企業ＡＡにより生成される協力データにアクセスすることができ、企業ＣＣにより生成される協力データにはアクセスすることができない。操作する関係者が企業ＣＣに属すると、企業ＣＣ自体および企業ＡＡにより生成される協力データにアクセスすることができ、企業ＢＢにより生成される協力データにはアクセスすることができない。
【０１２８】
一実施形態では、協力プロジェクトの参加者が随時退出してよい。例えば、企業ＣＣが退出した後でも、企業ＡＡは企業ＢＢと協力データを共有する。一例において、企業ＣＣが協力プロジェクトから退出した後、グループ間協力プラットフォームのサーバは、企業ＣＣの協力データに対する企業ＡＡおよび企業ＢＢのアクセス権を維持する。別の例において、企業ＣＣは、企業ＣＣが協力プロジェクトから退出した後に企業ＡＡおよび企業ＢＢが企業ＣＣにより生成される協力データにアクセスできなくなるように、協力データへのアクセス権を設定する。
【０１２９】
図１４は、本開示のある実施形態に係るデバイスを示すブロック図である。図１４に示すように、デバイスは、ハードウェアレベルでプロセッサ（１４０２）、内部バス（１４０４）、ネットワークインタフェース（１４０６）、メモリ（１４０８）、および不揮発性記憶装置（１４１０）を含み、他のサービスにより必要とされるハードウェアを更に含んでよい。プロセッサ（１４０２）は、対応するコンピュータプログラムを不揮発性記憶装置（１４１０）からメモリ（１４０８）に読み込み、次に当該コンピュータプログラムを実行して、論理レベルでグループ間でデータを共有するための装置を形成する。当然ながら、ソフトウェア実装に加えて、本開示の１または複数の実施形態は、例えば論理デバイスまたはソフトウェアとハードウェアとの組み合わせを使用する他の実装を排除しない。すなわち、以下の処理フローの実行エンティティは論理ユニットに限定されず、ハードウェアデバイスまたは論理デバイスであってもよい。
【０１３０】
図１５は、本開示のある実施形態に係る、プラットフォームに基づくグループ間でデータを共有するための装置のソフトウェア実装を示すブロック図である。図１５に示すように、装置は承認ユニット（１５０１）および承認ユニット（１５０１）を含む。
【０１３１】
承認ユニット（１５０１）は、第１グループにより第２グループの協力承認プロセスを開始するように構成される。
【０１３２】
承認ユニット（１５０１）は、協力承認プロセスが承認されると、グループ間協力中に第１グループと第２グループとの間で協力データが共有されるように、第１グループにより第２グループとのグループ間協力を実装するように構成される。
【０１３３】
一実施形態において、承認ユニット（１５０１）は更に、第１グループが第２グループに対するグループ間協力の協力プロジェクトを開始すると、第２グループの協力承認プロセスを開始するように構成される。
【０１３４】
一実施形態において、協力ユニット（１５０２）は更に、第１グループにより協力プロジェクトに対応する検証情報を取得して、第２グループに検証情報を提供するように構成され、第２グループが検証情報を使用して協力プロジェクトに参加するときに、第１グループにより第２グループとのグループ間協力を実装するように構成される。
【０１３５】
一実施形態において、承認ユニット（１５０１）は更に、第２グループにより開始されるグループ間協力の協力プロジェクトに第１グループが参加すると、第２グループの協力承認プロセスを開始するように構成される。
【０１３６】
一実施形態において、協力ユニット（１５０２）は更に、第１グループにより、第２グループにより提供される協力プロジェクトに対応する検証情報を取得するように構成され、第１グループにより、検証情報を使用して協力プロジェクトに参加して、第２グループとのグループ間協力を実装するように構成される。
【０１３７】
一実施形態において、協力プロジェクトは、開始者の役割を果たす第１グループまたは第２グループにより作成される、または、協力プロジェクトは、開始者の役割を果たす第１グループまたは第２グループがグループ間協力プラットフォームに対する協力プロジェクト作成要求を開始した後、グループ間協力プラットフォームにより作成される。
【０１３８】
一実施形態において、第２グループが予め構成された信頼できるグループであるときに、協力ユニット（１５０２）は、第１グループにより協力承認プロセスなしで第２グループとのグループ間協力を実装するように構成される。
【０１３９】
図１６は、本開示のある実施形態に係る、プラットフォームに基づくグループ間でデータを共有するための装置のソフトウェア実装を示すブロック図である。図１６に示すように、装置は作成ユニット（１６０１）、決定ユニット（１６０２）、および共有ユニット（１６０３）を含む。
【０１４０】
作成ユニット（１６０１）は、グループ間協力プラットフォームにより協力プロジェクトを作成するように構成される。
【０１４１】
決定ユニット（１６０２）は、グループ間協力プラットフォームにより協力プロジェクトに参加するグループを決定し、それらを協力プロジェクトのプロジェクト協力者として指定するように構成される。
【０１４２】
共有ユニット（１６０３）は、グループ間協力プラットフォームにより協力プロジェクトのプロジェクト協力者間で協力データを共有するように構成される。
【０１４３】
一実施形態において、決定ユニット（１６０２）は、グループ間協力プラットフォームにより、協力プロジェクトに既に参加しているグループを以下の方式のうちの少なくとも１つで決定するように構成される。
【０１４４】
グループにより開始されるプロジェクト作成要求に基づいて協力プロジェクトが作成されると、グループ間協力プラットフォームにより、グループが協力プロジェクトに参加することが決定される。
【０１４５】
グループにより示されるターゲットグループに送信されるプロジェクト参加招待が確認応答されると、グループ間協力プラットフォームにより、ターゲットグループが協力プロジェクトに参加することが決定される。
【０１４６】
少なくとも１つのグループにより送信された受信されるプロジェクト参加要求が、協力プロジェクトに対応する検証情報を含むときは、グループ間協力プラットフォームにより、少なくとも１つのグループが協力プロジェクトに参加することが決定され、協力プロジェクトのプロジェクト協力者が検証情報にアクセスすることができる（例えば検証情報を見ることができる）。
【０１４７】
一実施形態において、共有ユニット（１６０３）は更に、グループ間協力プラットフォームにより、任意のプロジェクト協力者の協力データを協力プロジェクト内の全てのプロジェクト協力者と共有するように構成される。
【０１４８】
一実施形態において、共有ユニット（１６０３）は更に、グループ間協力プラットフォームにより、任意のプロジェクト協力者により開始される共有関係構成要求を取得するように構成され、グループ間協力プラットフォームにより、プロジェクト協力者の協力データを共有関係構成要求で指定されるプロジェクト協力者と共有することで、プロジェクト協力者の協力データを他のプロジェクト協力者と共有することを回避するように構成される。
【０１４９】
一実施形態において、共有ユニット（１６０３）は更に、一部のプロジェクト協力者が協力プロジェクトから退出すると、グループ間協力プラットフォームにより残りのプロジェクト協力者間で協力データを共有するように構成される。
【０１５０】
一実施形態において、共有ユニット（１６０３）は更に、グループ間協力プラットフォームにより、プロジェクト協力者により生成される協力データを協力プロジェクトに対応する共有スペースに記憶するように構成され、共有スペースは協力プロジェクトのプロジェクト協力者にアクセス許可を提供する。
【０１５１】
一実施形態において、共有ユニット（１６０３）は更に、グループ間協力プラットフォームにより、各プロジェクト協力者により生成される協力データを対応する協力者共有スペースに記録し、グループ間協力プラットフォームにより、協力プロジェクトのプロジェクト協力者に対応する協力者共有スペース間で協力データの自動同期を実装するように構成される。
【０１５２】
一実施形態において、共有ユニット（１６０３）は更に、グループ間協力プラットフォームにより、少なくとも１人のプロジェクト協力者により割り当てられる独自の内部システム内の協力データに対するアクセス権を記録することであって、アクセス権は、対応するプロジェクト協力者が協力プロジェクトから退出すると無効になる、記録することと、あるプロジェクト協力者が別のプロジェクト協力者の協力データに対するアクセス要求を開始すると、グループ間協力プラットフォームにより、記録される他のプロジェクト協力者の内部システムに対するアクセス権を使用して、プロジェクト協力者が他のプロジェクト協力者の内部システム内の協力データにアクセスすることを容易にすることとを行うように構成される。
【０１５３】
一実施形態において、対応する内部システムへのアクセス権のアクセス範囲は、指定されたアクセス経路、指定された権利のデータ、指定されたタイプのデータ、指定された期間に生成されるデータ、および指定された部署の従業員により生成されるデータのうちの少なくとも１つを含む。
【０１５４】
図１７は、本開示のある実施形態に係る、作成者に基づくグループ間でデータを共有するための装置のソフトウェア実装を示すブロック図である。装置は要求ユニット（１７０１）および共有ユニット（１７０２）を含む。
【０１５５】
要求ユニット（１７０１）は、グループにより、グループ間協力プラットフォームに対する、グループ間協力プラットフォームで協力プロジェクトを作成するための協力プロジェクト作成要求を開始するように構成される。
【０１５６】
共有ユニット（１７０２）は、グループにより、協力プロジェクトに参加する少なくとも１つの他のグループと協力データを共有するように構成される。
【０１５７】
装置は更に、グループにより、協力プロジェクトに関連するターゲットグループをグループ間協力プラットフォームに示すことで、グループ間協力プラットフォームがターゲットグループにプロジェクト参加招待を送信するようにすべく構成される指示ユニット（１７０３）を含み、プロジェクト参加招待がターゲットグループにより確認応答されると、ターゲットグループは、協力プロジェクトに参加することが確認される。
【０１５８】
装置は更に、グループにより協力プロジェクトに対応する検証情報を取得するように構成される取得ユニット（１７０４）であって、検証情報は更にグループ間協力プラットフォームに記録される、取得ユニット（１７０４）と、検証情報を含むプロジェクト参加要求をグループ間協力プラットフォームに送信するとターゲットグループが協力プロジェクトに参加することが確認されるように、グループによりターゲットグループに検証情報を送信するように構成される送信ユニット（１７０５）とを含む。
【０１５９】
送信ユニット（１７０５）は更に、グループによりターゲットグループの協力承認プロセスを開始し、ターゲットグループの協力承認プロセスが承認されると、グループによりターゲットグループに検証情報を送信するように構成されるか、または、ターゲットグループが予め構成された信頼できるグループであるときに、グループにより協力承認プロセスなしでターゲットグループに検証情報を送信するように構成される。
【０１６０】
図１８は、本開示のある実施形態に係る、参加者グループに基づくグループ間でデータを共有するための装置のソフトウェア実装を示すブロック図である。図１８に示すように、装置は参加ユニット（１８０１）および共有ユニット（１８０２）を含む。
【０１６１】
参加ユニット（１８０１）は、グループにより、グループ間協力プラットフォームで作成される協力プロジェクトに参加するように構成される。
【０１６２】
共有ユニット（１８０２）は、グループにより、協力プロジェクトに参加する少なくとも１つの他のグループと協力データを共有するように構成される。
【０１６３】
一実施形態において、参加ユニット（１８０１）は更に、グループにより、グループ間協力プラットフォームにより送信されたプロジェクト参加招待を受信し、グループにより、プロジェクト参加招待の確認応答を実行して協力プロジェクトに参加するように構成される。
【０１６４】
一実施形態において、参加ユニット（１８０１）は更に、グループにより、協力プロジェクトに既に参加している別のグループにより送信された検証情報を取得するように構成され、検証情報が協力プロジェクトに対応するときに、グループにより、検証情報を含むプロジェクト参加要求をグループ間協力プラットフォームに送信して協力プロジェクトに参加するように構成される。
【０１６５】
一実施形態において、参加ユニット（１８０１）は、グループにより、検証情報を含むプロジェクト参加要求を以下の方式でグループ間協力プラットフォームに送信するように構成される。
【０１６６】
グループは、検証情報を送信する他のグループの協力承認プロセスを開始し、他のグループの協力承認プロセスが承認されると、グループは、検証情報を含むプロジェクト参加要求をグループ間協力プラットフォームに送信する。
【０１６７】
他のグループが予め構成された信頼できるグループであるときに、グループは、検証情報を含むプロジェクト参加要求を協力承認プロセスなしでグループ間協力プラットフォームに送信する。
【０１６８】
上記の実施形態に示したシステム、装置、モジュール、またはユニットは、コンピュータチップもしくはエンティティ、または特定の機能を有する製品により具体的に実装され得る。典型的な実装デバイスはコンピュータであり、コンピュータの特定の形態はパーソナルコンピュータ、ラップトップコンピュータ、セルフォン、カメラ付き電話、スマートフォン、携帯情報端末、メディアプレーヤ、ナビゲーションデバイス、電子メール送受信デバイス、ゲームコンソール、タブレットコンピュータ、ウェアラブルデバイス、またはこれらのデバイスのいずれかの組み合わせであってよい。
【０１６９】
典型的な構成において、コンピュータは、１または複数のプロセッサ（ＣＰＵ）、入出力インタフェース、ネットワークインタフェース、およびメモリを含む。
【０１７０】
メモリは、リードオンリメモリ（ＲＯＭ）またはフラッシュメモリ（ｆｌａｓｈ（登録商標）ＲＡＭ）など、非永続的メモリ、ランダムアクセスメモリ（ＲＡＭ）、および／または不揮発性メモリなどの形態のコンピュータ可読媒体を含んでよい。メモリはコンピュータ可読媒体の例である。
【０１７１】
コンピュータ可読媒体は、任意の方法または技術を用いて情報記憶を実現できる永続的および非永続的な媒体、移動可能および移動不可能な媒体を含む。情報はコンピュータ可読命令、データ構造、プログラムのモジュール、または他のデータであってよい。コンピュータの記憶媒体の例は、以下に限定するわけではないが、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、リードオンリメモリ（ＲＯＭ）、電気消去可能プログラマブルリードオンリメモリ（ＥＥＰＲＯＭ）、フラッシュメモリもしくは他のメモリ技術、コンパクトディスクリードオンリメモリ（ＣＤ−ＲＯＭ）、デジタル多用途ディスク（ＤＶＤ）もしくは他の光記憶装置、カセットテープ、ディスク記憶装置、量子メモリ、グラフェンベースの記憶媒体もしくは他の磁気記憶デバイス、または任意の他の非伝送媒体を含み、コンピューティングデバイスによりアクセス可能な情報を記憶するために使用され得る。本明細書の定義によれば、コンピュータ可読媒体は変調データ信号および搬送波などの一時的なコンピュータ可読媒体（ｔｒａｎｓｉｔｏｒｙ  ｍｅｄｉａ）を含まない。
【０１７２】
「含む」という用語、「備える」という用語、またはそれらの任意の他の変形形態は、非排他的な包含を含むことを意図しているため、一連の要素を含むプロセス、方法、商品、またはデバイスは、それらの要素だけでなく、明示的に列挙されていない他の要素、または係るプロセス、方法、商品、またはデバイスに固有の要素も含むことに更に留意されたい。更なる制限なく「１つの〜を含む」という記述で定義される要素は、当該要素を含むプロセス、方法、商品、またはデバイスにおける追加的な同一要素の存在を除外するものではない。
【０１７３】
以上では、本開示の特定の実施形態について説明した。他の実施形態が添付の特許請求の範囲に含まれる。場合によっては、請求項に記載するアクションまたは段階を実施形態とは異なる順序で実行しても、所望の結果を実現することができる。加えて、図面に示すプロセスでは、所望の結果を実現するために必ずしも示されている特定の順序または連続した順序が必要とされるわけではない。いくつかの実装では、マルチタスク処理および並列処理も可能または有益である。
【０１７４】
本開示の１または複数の実施形態で使用する用語は、特定の実施形態を説明することのみを目的としており、本開示の１または複数の実施形態を限定することを意図するものではない。本開示の１または複数の実施形態、および添付の特許請求の範囲で使用する単数形「ある（ａ）」、「当該（ｓａｉｄ）」、および「（ｔｈｅ）」は、文脈による別段の明示的な指示がない限り、複数形を含むことも意図している。本明細書で使用する「および／または」という用語は、１または複数の関連付けられる列挙された項目の任意のまたは全ての可能な組み合わせを指し、それらを含むことも理解されたい。
【０１７５】
本開示の１または複数の実施形態では様々なタイプの情報を説明するために第１、第２、および第３などの用語が使用され得るが、係る情報はこれらの用語に限定されるべきではないことを理解されたい。これらの用語は、１つのタイプの情報を別のタイプの情報と区別するためにのみ使用される。例えば、第１情報は第２情報と呼ばれてもよく、同様に、第２情報は、本開示の１または複数の実施形態の範囲から逸脱することなく、第１情報と呼ばれてもよい。文脈に応じて、本明細書で使用する「場合」という単語は、「〜するとき」または「〜すると」または「決定に応答して」を意味するものと解釈され得る。
【０１７６】
上の説明は本開示の１または複数の実施形態の好ましい実施形態に過ぎず、本開示の１または複数の実施形態を限定することを意図するものではない。本開示の１または複数の実施形態の精神および原理から逸脱することなく行われる修正、同等の置換、または改良はいずれも、本開示の１または複数の実施形態の保護範囲に含まれるべきである。
（項目１）
グループ間でデータを共有するための方法であって、
任意のグループが別のグループの協力承認プロセスを開始する段階と、
上記協力承認プロセスが承認されると、グループ協力中に上記グループと他のグループとの間で協力データが共有されるように、上記グループが上記他のグループとのグループ間協力を実装する段階と
を備える方法。
（項目２）
任意のグループが別のグループの協力承認プロセスを開始する上記段階は、
上記グループが上記他のグループのためのグループ間協力の協力プロジェクトを開始するときに、上記他のグループの上記協力承認プロセスを開始する段階
を有する、項目１に記載の方法。
（項目３）
上記グループが上記他のグループとのグループ間協力を実装する上記段階は、
上記グループが、上記協力プロジェクトに対応する検証情報を取得することで、上記検証情報を上記他のグループに提供する段階と、
上記他のグループが上記検証情報を通じて上記協力プロジェクトに参加するときに、上記グループが上記他のグループとのグループ間協力を実装する段階と
を有する、項目２に記載の方法。
（項目４）
任意のグループが別のグループの協力承認プロセスを開始する上記段階は、
上記グループが上記他のグループにより開始されるグループ間協力の協力プロジェクトに参加するときに、上記他のグループの上記協力承認プロセスを開始する段階
を有する、項目１に記載の方法。
（項目５）
上記グループが上記他のグループとのグループ間協力を実装する上記段階は、
上記グループが、上記他のグループにより提供される上記協力プロジェクトに対応する検証情報を取得する段階と、
上記グループが上記検証情報を通じて上記協力プロジェクトに参加することで、上記他のグループとのグループ間協力を実装する段階と
を有する、項目４に記載の方法。
（項目６）
上記協力プロジェクトは、開始者の役割を果たす上記グループまたは上記他のグループにより作成される、または、
上記協力プロジェクトは、開始者の役割を果たす上記グループまたは上記他のグループがグループ間協力プラットフォームに対する協力プロジェクト作成要求を開始した後、上記グループ間協力プラットフォームにより作成される、
項目２から５のいずれか一項に記載の方法。
（項目７）
上記他のグループが予め構成された信頼できるグループであるときに、上記グループが上記他のグループとのグループ間協力を実装する一方で、上記協力承認プロセスを無視する段階
を更に備える項目１に記載の方法。
（項目８）
グループ間でデータを共有するための方法であって、
グループ間協力プラットフォームが協力プロジェクトを作成する段階と、
上記協力プロジェクトに参加するグループを上記協力プロジェクトのプロジェクト協力者として設定するように、上記グループ間協力プラットフォームが、上記協力プロジェクトに参加する上記グループを決定する段階と、
上記グループ間協力プラットフォームが上記協力プロジェクトの上記プロジェクト協力者間で協力データを共有する段階と
を備える方法。
（項目９）
上記グループ間協力プラットフォームが、上記協力プロジェクトに既に参加しているグループを決定する上記段階は、
任意のグループにより開始されるプロジェクト作成要求に基づいて上記協力プロジェクトが作成されるときに、上記グループ間協力プラットフォームが、上記協力プロジェクトに参加する上記グループを決定する段階、
上記グループにより示されるターゲットグループに送信されるプロジェクト参加招待が確認応答を取得するときに、上記グループ間協力プラットフォームが、上記協力プロジェクトに参加する上記ターゲットグループを決定する段階、および、
少なくとも１つのグループにより送信された受信されるプロジェクト参加要求が、上記協力プロジェクトに対応する検証情報を含むときに、上記少なくとも１つのグループが上記協力プロジェクトに参加することを、上記グループ間協力プラットフォームが決定する段階であって、上記協力プロジェクトのプロジェクト協力者が上記検証情報を見ることができる、段階
のうちの少なくとも１つを有する、項目８に記載の方法。
（項目１０）
上記グループ間協力プラットフォームが上記協力プロジェクトの上記プロジェクト協力者間で協力データを共有する上記段階は、
上記グループ間協力プラットフォームが上記協力プロジェクト内の全てのプロジェクト協力者と任意のプロジェクト協力者の協力データを共有する段階
を有する、項目８に記載の方法。
（項目１１）
上記グループ間協力プラットフォームが上記協力プロジェクトの上記プロジェクト協力者間で協力データを共有する上記段階は、
上記グループ間協力プラットフォームが、任意のプロジェクト協力者により開始される共有オブジェクト設定要求を取得する段階と、
上記グループ間協力プラットフォームが、上記共有オブジェクト設定要求に示されるプロジェクト協力者と上記プロジェクト協力者の協力データを共有し、他のプロジェクト協力者と上記プロジェクト協力者の上記協力データを共有することを回避する段階と
を有する、項目８に記載の方法。
（項目１２）
上記グループ間協力プラットフォームが上記協力プロジェクトの上記プロジェクト協力者間で協力データを共有する上記段階は、
一部のプロジェクト協力者が上記協力プロジェクトを退出すると、上記グループ間協力プラットフォームが残りのプロジェクト協力者間で協力データを共有する段階
を有する、項目８に記載の方法。
（項目１３）
上記グループ間協力プラットフォームが上記協力プロジェクトの上記プロジェクト協力者間で協力データを共有する上記段階は、
上記グループ間協力プラットフォームが、上記プロジェクト協力者により生成される協力データを上記協力プロジェクトに対応する共有スペースに記憶する段階であって、上記共有スペースは、上記協力プロジェクトの上記プロジェクト協力者に許可を提供する、段階
を有する、項目８に記載の方法。
（項目１４）
上記グループ間協力プラットフォームが上記協力プロジェクトの上記プロジェクト協力者間で協力データを共有する上記段階は、
上記グループ間協力プラットフォームが、各プロジェクト協力者により生成される協力データを対応する協力者共有スペースに記録する段階と、
上記グループ間協力プラットフォームが、上記協力プロジェクトの上記プロジェクト協力者に対応する協力者共有スペース間で協力データの自動同期を実装する段階と
を有する、項目８に記載の方法。
（項目１５）
上記グループ間協力プラットフォームが上記協力プロジェクトの上記プロジェクト協力者間で協力データを共有する上記段階は、
上記グループ間協力プラットフォームが、少なくとも１人のプロジェクト協力者により割り当てられる独自の内部システム内の協力データに対するアクセス権を記録する段階であって、上記アクセス権は、上記対応するプロジェクト協力者が上記協力プロジェクトから退出すると無効になる、段階と、
任意のプロジェクト協力者が別のプロジェクト協力者の協力データに対するアクセス要求を開始すると、上記グループ間協力プラットフォームが、記録される他のプロジェクト協力者の内部システムに対するアクセス権を通じて、上記プロジェクト協力者が上記他のプロジェクト協力者の上記内部システム内の協力データにアクセスすることを支援する段階と
を有する、項目８に記載の方法。
（項目１６）
上記対応する内部システムへの上記アクセス権のアクセス範囲は、
特定のアクセス経路、特定の権利のデータ、特定のタイプのデータ、特定の期間に生成されるデータ、および特定の部署の従業員により生成されるデータ
のうちの少なくとも１つを含む、項目１５に記載の方法。
（項目１７）
グループ間でデータを共有するための方法であって、
任意のグループがグループ間協力プラットフォームに対する協力プロジェクト作成要求を開始することで、上記グループ間協力プラットフォームで協力プロジェクトを作成する段階と、
上記グループが、上記協力プロジェクトに参加する少なくとも１つの他のグループと協力データを共有する段階と
を備える方法。
（項目１８）
上記グループが、上記協力プロジェクトに関連するターゲットグループを上記グループ間協力プラットフォームに示すことで、上記グループ間協力プラットフォームが上記ターゲットグループにプロジェクト参加招待を送信するようにする段階
を更に備え、
上記プロジェクト参加招待が上記ターゲットグループから確認応答を取得すると、上記ターゲットグループは、上記協力プロジェクトに参加することが確認される、
項目１７に記載の方法。
（項目１９）
上記グループが、上記協力プロジェクトに対応する検証情報を取得する段階であって、上記検証情報は更に上記グループ間協力プラットフォームに記録される、段階と、
上記検証情報を含むプロジェクト参加要求を上記グループ間協力プラットフォームに送信するとターゲットグループが上記協力プロジェクトに参加することが確認されるように、上記グループが上記ターゲットグループに上記検証情報を送信する段階と
を更に備える項目１７に記載の方法。
（項目２０）
上記グループがターゲットグループに上記検証情報を送信する上記段階は、
上記グループが上記ターゲットグループの協力承認プロセスを開始し、上記ターゲットグループの上記協力承認プロセスが承認されると、上記グループが上記ターゲットグループに上記検証情報を送信する段階、または、
上記ターゲットグループが予め構成された信頼できるグループであるときに、上記グループが上記ターゲットグループに上記検証情報を送信する一方で、上記協力承認プロセスを無視する段階
を有する、項目１９に記載の方法。
（項目２１）
グループ間でデータを共有するための方法であって、
任意のグループが、グループ間協力プラットフォームで作成される協力プロジェクトに参加する段階と、
上記グループが、上記協力プロジェクトに参加する少なくとも１つの他のグループと協力データを共有する段階と
を備える方法。
（項目２２）
任意のグループが、グループ間協力プラットフォームで作成される協力プロジェクトに参加する上記段階は、
上記グループが、上記グループ間協力プラットフォームにより送信されたプロジェクト参加招待を受信する段階と、
上記グループが上記プロジェクト参加招待の確認応答を実行することで、上記協力プロジェクトに参加する段階と
を有する、項目２１に記載の方法。
（項目２３）
任意のグループが、グループ間協力プラットフォームで作成される協力プロジェクトに参加する上記段階は、
上記グループが、上記協力プロジェクトに既に参加している別のグループにより送信された検証情報を取得する段階と、
上記検証情報が上記協力プロジェクトに対応するときに上記協力プロジェクトに参加するように、上記グループが、上記検証情報を含むプロジェクト参加要求を上記グループ間協力プラットフォームに送信する段階と
を有する、項目２１に記載の方法。
（項目２４）
上記グループが、上記検証情報を含むプロジェクト参加要求を上記グループ間協力プラットフォームに送信する上記段階は、
上記グループが、上記検証情報を送信する上記他のグループの協力承認プロセスを開始し、上記他のグループの上記協力承認プロセスが承認されると、上記グループが、上記検証情報を含むプロジェクト参加要求を上記グループ間協力プラットフォームに送信する段階、または、
上記他のグループが予め構成された信頼できるグループであるときに、上記グループが、上記検証情報を含むプロジェクト参加要求を上記グループ間協力プラットフォームに送信する一方で、上記協力承認プロセスを無視する段階
を含む、項目２３に記載の方法。
（項目２５）
グループ間でデータを共有するための装置であって、
任意のグループにより別のグループの協力承認プロセスを開始するように構成される承認ユニットと、
上記協力承認プロセスが承認されると、グループ協力中に上記グループと他のグループとの間で協力データが共有されるように、上記グループにより上記他のグループとのグループ間協力を実装するように構成される協力ユニットと
を備える装置。
（項目２６）
グループ間でデータを共有するための装置であって、
グループ間協力プラットフォームにより協力プロジェクトを作成するように構成される作成ユニットと、
上記グループ間協力プラットフォームにより、上記協力プロジェクトに参加するグループを決定することで、上記協力プロジェクトに参加する上記グループを上記協力プロジェクトのプロジェクト協力者として設定するように構成される決定ユニットと、
上記グループ間協力プラットフォームにより上記協力プロジェクトの上記プロジェクト協力者間で協力データを共有するように構成される共有ユニットと
を備える装置。
（項目２７）
グループ間でデータを共有するための装置であって、
任意のグループによりグループ間協力プラットフォームに対する協力プロジェクト作成要求を開始することで、上記グループ間協力プラットフォームで協力プロジェクトを作成するように構成される要求ユニットと、
上記グループより、上記協力プロジェクトに参加する少なくとも１つの他のグループと協力データを共有するように構成される共有ユニットと
を備える装置。
（項目２８）
グループ間でデータを共有するための装置であって、
任意のグループにより、グループ間協力プラットフォームで作成される協力プロジェクトに参加するように構成される参加ユニットと、
上記グループにより、上記協力プロジェクトに参加する少なくとも１つの他のグループと協力データを共有するように構成される共有ユニットと
を備える装置。
【図１】
2021507333.tif 000003
【図２】
2021507333.tif 000004
【図３】
2021507333.tif 000005
【図４Ａ】
2021507333.tif 000006
【図４Ｂ】
2021507333.tif 000007
【図５】
2021507333.tif 000008
【図６】
2021507333.tif 000009
【図７】
2021507333.tif 000010
【図８】
2021507333.tif 000011
【図９】
2021507333.tif 000012
【図１０】
2021507333.tif 000013
【図１１】
2021507333.tif 000014
【図１２】
2021507333.tif 000015
【図１３】
2021507333.tif 000016
【図１４】
2021507333.tif 000017
【図１５】
2021507333.tif 000018
【図１６】
2021507333.tif 000019
【図１７】
2021507333.tif 000020
【図１８】
2021507333.tif 000021
【国際調査報告】
2021507333.tif 000022
2021507333.tif 000023
2021507333.tif 000024
2021507333.tif 000025